(57)【要約】【課題】周辺に粉塵等が飛散することなく、残土、砕石混合物を容易に選別できる選別装置を提供する。【解決手段】水平面に対して所定角度で傾斜する分離金網１２で残土を選別し、金網の目から落下せずに分離金網１２を流れた残留物を第２のベルトコンベア４が一方向へ搬送する。第２のベルトコンベア４は第１のカバー部８で覆われ、第１の送風機９は第１のカバー部８内に前記一方向とは反対方向に送風するので、ゴミ等の軽量物は飛ばされ、残留物より、ゴミ等を分離することができる。また、分離されたゴミ等は収集装置５の内部に吹き込み、ゴミ等の大きさ、重量により、さらに分離選別することができる。また、分離金網１２の裏面の所定位置には、振動モータ１３が取付られているので、分離金網１２を振動させることにより、残土の選別処理能力を高めることができる。【選択図】  図１
2004275861.tif 000002
【特許請求の範囲】
【請求項１】
残土を選別する選別装置であって、
残土を選別するために、水平面に対して所定角度で傾斜する分離金網と、
当該分離金網の残土が流れる方向の下流側に設けられ、前記分離金網の目から落下せずに前記分離金網上を流れた残留物を一方向へ搬送する第１の搬送手段と、
当該第１の搬送手段を覆う第１のカバーと、
当該第１のカバー内に、前記一方向とは反対方向に送風する第１の送風手段と、
当該第１の送風手段によって、前記一方向とは反対方向に送出されるゴミを収集する収集手段と
を備えたことを特徴とする選別装置。
【請求項２】
前記収集手段は、略直方体状の箱であって、
前記第１の搬送手段側の前記収集手段の側面には、前記第１の送風手段から送出されるゴミを受け入れる受入口と、
前記収集手段内部の前記受入口の近傍に設けられ、前記受入口からゴミ等が吹き込まれる方向を調節する略矩形状の平板と
を備えたことを特徴とする請求項１に記載の選別装置。
【請求項３】
前記受入口は略矩形状であって、
前記平板は、前記受入口の下辺近傍に軸支され、前記平板は上下方向に回動可能となっていることを特徴とする請求項２に記載の選別装置。
【請求項４】
前記平板は多数の開口が形成されていることを特徴とする請求項２又は３に記載の選別装置。
【請求項５】
前記略直方体状の箱の上面部において、前記第１の搬送手段が接続される側面と対向する側面側の近傍には、前記収集手段の内部の空気を外部に排出するための第１の排気口が設けられていることを特徴とする請求項２乃至４の何れかに記載の選別装置。
【請求項６】
前記第１の排気口には、前記収集手段から排出された空気を前記第１の送風手段に返送するための第１のダクトが設けられていることを特徴とする請求項５に記載の選別装置。
【請求項７】
前記第１の排気口にはフィルタが設けられていることを特徴とする請求項５又は６に記載の選別装置。
【請求項８】
前記収集手段の内部には、多数の開口が形成された敷き板が地面と所定間隔をあけて設けられていることを特徴とする請求項１乃至７の何れかに記載の選別装置。
【請求項９】
前記収集手段の内部の、前記受入口が設けられた側面と、当該側面と対向する側面との中間には、上下方向に長さを変更可能な仕切板が設けられていることを特徴とする請求項２乃至８の何れかに記載の選別装置。
【請求項１０】
前記仕切板は、複数枚の多数の開口が形成された板から構成され、前記敷き板に対して垂直方向に積み上げ可能であることを特徴とする請求項９に記載の選別装置。
【請求項１１】
前記収集手段の前面部の壁面の両端部を各々開閉軸心として、中央より観音開き式に開閉可能となる２枚の扉が設けられていることを特徴とする請求項１乃至１０の何れかに記載の選別装置。
【請求項１２】
前記収集手段の背面部の壁面には、当該壁面と平行な面を有する多数の開口が形成された背面板が、前記壁面より所定距離離間して設けられていることを特徴とする請求項１乃至１１の何れかに記載の選別装置。
【請求項１３】
前記収集手段には前記収集手段内部に蓄積するゴミを外部に搬送するための第２の搬送手段が設けられていることを特徴とする請求項１乃至１２の何れかに記載の選別装置。
【請求項１４】
前記収集手段の前記受入口が設けられている壁面と対向する壁面には、前記収集手段内側のゴミを外側に排出するための廃棄口が設けられ、
当該廃棄口からは、前記第２の搬送手段が、前記収集手段内側から外側に向かって突出していることを特徴とする請求項１３に記載の選別装置。
【請求項１５】
前記収集手段には、前記廃棄口から外側へ突出している前記第２の搬送手段を覆う第２のカバーが設けられていることを特徴とする請求項１４に記載の選別装置。
【請求項１６】
前記第２のカバーには、前記第２のカバー内の空気を外部に排出するための第２の排気口が設けられていることを特徴とする請求項１５に記載の選別装置。
【請求項１７】
前記第２の排気口には、フィルタが設けられていることを特徴とする請求項１６に記載の選別装置。
【請求項１８】
前記収集手段には、前記収集手段内に空気を送風するための第２の送風手段が設けられていることを特徴とする請求項１乃至１７の何れかに記載の選別装置。
【請求項１９】
前記収集手段に設けられた前記受入口の下部には、前記収集手段内に空気を送風するために開口した送風口を備え、
前記第２の送風手段は、前記送風口から前記収集手段内に向かって送風することを特徴とする請求項１８に記載の選別装置。
【請求項２０】
前記送風口にはフィルタが設けられていることを特徴とする請求項１９に記載の選別装置。
【請求項２１】
前記第２の送風手段は、前記平板の裏面側に向かって送風することを特徴とする請求項１８乃至２０に記載の選別装置。
【請求項２２】
前記第２の排気口には、前記第２のカバー内から排出された空気を前記第２の送風手段に返送するための第２のダクトが設けられていることを特徴とする請求項１６乃至２１の何れかに記載の選別装置。
【請求項２３】
前記収集手段には、前記収集手段内部に散水する散水手段を備えていることを特徴とする請求項１乃至２２の何れかに記載の選別装置。
【請求項２４】
残土を選別する選別装置であって、
残土を選別するために、水平面に対して所定角度で傾斜する分離金網と、
当該分離金網の残土が流れる方向の上流側で、前記分離金網の左右何れかの一端側近傍において、前記分離金網を表面及び裏面から挟み込むように前記分離金網に固定された一対の振動板と、
当該振動板の裏面側に設けられ、前記分離金網を振動させる振動モータと
を備えたことを特徴とする選別装置。
【請求項２５】
前記分離金網において、前記振動板に近い前記一端側より、前記分離金網の残土が流れる方向の下流側に向かって傾斜するように、前記一端側と反対側の他端側とに渡設され、かつ前記分離金網とは所定距離をあけて設けられ、前記分離金網上を落下する大きな残留物を前記分離金網の外部に排出するための遮蔽板を備えたことを特徴とする請求項２４に記載の選別装置。
【請求項２６】
前記遮蔽板の、前記分離金網の残土が流れる方向に向かって傾斜する方向の下流側には、大きな残留物を前記分離金網より外部に排出するための排出口が設けられていることを特徴とする請求項２５に記載の選別装置。
【請求項２７】
前記排出口には、前記遮蔽板によって取り除かれる大きな残留物を前記分離金網の外部に排出するための案内板が設けられていることを特徴とする請求項２６に記載の選別装置。
【請求項２８】
前記分離金網には、前記分離金網の残土が流れる方向と平行に前記分離金網を支持する桟が設けられ、
前記振動板と前記桟との間隔より、前記分離金網の前記振動板に近い前記一端側と前記振動板との間隔の方が広くなっていることを特徴とする請求項２４乃至２７の何れかに記載の選別装置。
【発明の詳細な説明】
【０００１】
【発明の属する技術分野】
本発明は、残土、砕石の選別を行う選別装置に関する。
【０００２】
【従来の技術】
従来、工事現場及び採掘現場等で排出される残土、砕石混合物等をリサイクルして再度使用するために、残土及び砕石混合物の選別装置が利用されている。選別装置は、土・砂・木・紙・繊維・廃プラ類・瓦・がれき類等を選別することができる。この選別装置として、例えば、網目サイズの異なる２枚の分離金網に残土及び砕石混合物等を通過させ、サイズの異なる残土、砕石混合物等を選別する装置等が知られている（例えば、特許文献１参照）。そして２枚の分離金網で選別し、網目から落下した土等を、その落下地点に設置したコンベアによって、所定の場所に搬送し、堆積させるようにしていた。一方、分離金網の網目を落下せずに、分離金網上を流れた砕石物等も、コンベアによって所定場所に搬送し、堆積させるようにしていた。
【０００３】
【特許文献１】
特許第３２９４７８６号公報
【０００４】
【発明が解決しようとする課題】
しかしながら、上述のような選別装置では、分離金網の網目を落下せずに、分離金網上を流れた砕石物等は、コンベアに落下して所定場所に搬送される際に、微少な粉塵等が強風で舞い上がり、周囲に飛散することにより周辺環境を汚染するという問題点があった。また、分離金網上の網目を落下せずに、分離金網上を流れた砕石物等には、ゴミやそれに付着する砂等も混在しており、選別機能にも問題点があった。
【０００５】
本発明は、上述の問題点を解決するためになされたものであり、周辺に粉塵が飛散することなく、残土、砕石混合物を容易に選別できる選別装置を提供することを目的とする。
【０００６】
【課題を解決するための手段】
上記目的を達成するために、請求項１に記載の選別装置は、残土を選別する選別装置であって、残土を選別するために、水平面に対して所定角度で傾斜する分離金網と、当該分離金網の残土が流れる方向の下流側に設けられ、前記分離金網の目から落下せずに前記分離金網上を流れた残留物を一方向へ搬送する第１の搬送手段と、当該第１の搬送手段を覆う第１のカバーと、当該第１のカバー内に、前記一方向とは反対方向に送風する第１の送風手段と、当該第１の送風手段によって、前記一方向とは反対方向に送出されるゴミを収集する収集手段とを備えたことを特徴とする構成となっている。
【０００７】
この構成の選別装置では、第１の送風手段は、分離金網を落下しなかった残留物が、第１の搬送手段にて搬送される方向とは反対の方向に送風するので、搬送される残留物中からゴミ等の軽量物を吹き飛ばして分離させることができる。また、第１の搬送手段は第１のカバーで覆われているので、周辺に粉塵が飛散することなく残土の選別処理ができる。
【０００８】
請求項２に記載の選別装置は、請求項１に記載の発明の構成に加え、前記収集手段は、略直方体状の箱であって、前記第１の搬送手段側の前記収集手段の側面には、前記第１の送風手段から送出されるゴミを受け入れる受入口と、前記収集手段内部の前記受入口の近傍に設けられ、前記受入口からゴミ等が吹き込まれる方向を調節する略矩形状の平板とを備えたことを特徴とする構成となっている。
【０００９】
この構成の選別装置では、請求項１に記載の発明の作用に加え、略直方体状の箱である収集手段が、第１の送風手段によって送出されるゴミ等の軽量物を受入口より収集することができる。また、受入口下辺近傍に設けられた平板は、収集手段内にゴミ等が吹き込まれる方向を調節できるので、収集手段内に均一にゴミ等を蓄積することができる。
【００１０】
請求項３に記載の選別装置は、請求項２に記載の発明の構成に加え、前記受入口は略矩形状であって、前記平板は、前記受入口の下辺近傍に軸支され、前記平板は上下方向に回動可能となっていることを特徴とする構成となっている。
【００１１】
この構成の選別装置では、請求項２に記載の発明の作用に加え、平板は上下方向に回動可能となっているので、収集手段内の平板近傍の高さまでゴミが蓄積しても、平板を上方に調節することにより、ゴミが収集手段内に偏らず、均一に蓄積させることができる。
【００１２】
請求項４に記載の選別装置は、請求項２又は３に記載の発明の構成に加え、前記平板は多数の開口が形成されていることを特徴とする構成となっている。
【００１３】
この構成の選別装置では、請求項２又は３に記載の発明の作用に加え、平板は多数の開口を有しているので、受入口より吹き込まれたゴミに付着した砂等を、平板の開口を通して下方に落下させることができる。
【００１４】
請求項５に記載の選別装置は、請求項２乃至４の何れかに記載の発明の構成に加え、前記略直方体状の箱の上面部において、前記第１の搬送手段が接続される側面と対向する側面側の近傍には、前記収集手段の内部の空気を外部に排出するための第１の排気口が設けられていることを特徴とする構成となっている。
【００１５】
この構成の選別装置では、請求項２乃至４の何れかに記載の発明の作用に加え、収集手段の上面部の第１の排気口から、収集手段内に吹き込まれた空気を外部に排出することができるので、第１の送風手段は収集手段内へゴミ等を連続して吹き込むことができる。
【００１６】
請求項６に記載の選別装置は、請求項５に記載の発明の構成に加え、前記第１の第１の排気口には、前記収集手段から排出された空気を前記第１の送風手段に返送するための第１のダクトが設けられていることを特徴とする構成となっている。
【００１７】
この構成の選別装置では、請求項５に記載の発明の作用に加え、収集手段の上面部に設けられた第１の排気口には第１のダクトが設けられ、第１の排気口に接続された第１のダクトの反対側は第１の送風手段に接続されているので、空気は絶えず第１のカバー内の第１の搬送手段と収集手段内を循環し、粉塵を撒き散らすことなく、残土の選別処理をすることができる。
【００１８】
請求項７に記載の選別装置は、請求項５又は６に記載の発明の構成に加え、前記第１の排気口にはフィルタが設けられていることを特徴とする構成となっている。
【００１９】
この構成の選別装置では、請求項５又は６に記載の発明の作用に加え、第１の排気口に設けられたフィルタは、収集手段内から排出される空気中の粉塵又はゴミ等をろ過することができるので、第１のダクト内にゴミ等が流出するのを防止することができる。
【００２０】
請求項８に記載の選別装置は、請求項１乃至７の何れかに記載の発明の構成に加え、前記収集手段の内部には、多数の開口が形成された敷き板が地面と所定間隔をあけて設けられていることを特徴とする構成となっている。
【００２１】
この構成の選別装置では、請求項１乃至７の何れかに記載の発明の作用に加え、収集手段内に吹き込まれたゴミに付着した砂を、敷き板の多数の開口から落下させて蓄積させることができる。
【００２２】
請求項９に記載の選別装置は、請求項２乃至８の何れかに記載の発明の構成に加え、前記収集手段の内部の、前記受入口が設けられた側面と、当該側面と対向する側面との中間には、上下方向に長さを変更可能な仕切板が設けられていることを特徴とする構成となっている。
【００２３】
この構成の選別装置では、請求項２乃至８の何れかに記載の発明の作用に加え、収集手段内に吹き込まれたゴミ等が蓄積するに従って、収集手段の内部の仕切板を上方向に高くすることにより、収集手段内の所定の部屋に蓄積したゴミが再度混在しないようにすることができる。
【００２４】
請求項１０に記載の選別装置は、請求項９に記載の発明の構成に加え、前記仕切板は、複数枚の多数の開口が形成された板から構成され、前記敷き板に対して垂直方向に積み上げ可能であることを特徴とする構成となっている。
【００２５】
この構成の選別装置では、請求項９に記載の発明の作用に加え、収集手段内にゴミが蓄積する高さに応じて、複数枚からなる仕切板を上方向に積み上げることにより、ゴミは仕切板の開口を通過しないので、収集手段内の各部屋に蓄積したゴミが再度混在することを防止できる。
【００２６】
請求項１１に記載の選別装置は、請求項１乃至１０の何れかに記載の発明の構成に加え、前記収集手段の前面部の壁面の両端部を各々開閉軸心として、中央より観音開き式に開閉可能となる２枚の扉が設けられていることを特徴とする構成となっている。
【００２７】
この構成の選別装置では、請求項１乃至１０の何れかに記載の発明の作用に加え、収集手段内部にゴミ等が大量に蓄積した場合には、収集手段の前面部の扉を開いて、簡単にゴミ等を外部に取り出すことができるので、再度選別処理を継続することができる。
【００２８】
請求項１２に記載の選別装置は、請求項１乃至１１の何れかに記載の発明の構成に加え、前記収集手段の背面部の壁面には、当該壁面と平行な面を有する多数の開口が形成された背面板が、前記壁面より所定距離離間して設けられていることを特徴とする構成となっている。
【００２９】
この構成の選別装置では、請求項１乃至１１の何れかに記載の発明の作用に加え、収集手段内の敷き板にゴミ等が蓄積しても、収集手段内に吹き込まれた空気は、収集手段内の背面板の多数の開口から抜けることができるので、連続して収集手段内にゴミを吹き込むことができる。
【００３０】
請求項１３に記載の選別装置は、請求項１乃至１２の何れかに記載の発明の構成に加え、前記収集手段には前記収集手段内部に蓄積するゴミを外部に搬送するための第２の搬送手段が設けられていることを特徴とする構成となっている。
【００３１】
この構成の選別装置では、請求項１乃至１２の何れかに記載の発明の作用に加え、第２の搬送手段は、収集手段内に蓄積したゴミを外部に搬送することができるので、収集手段内に蓄積するゴミを手作業で取り出さなくても、連続的にゴミを収集手段の外部まで搬送することができる。
【００３２】
請求項１４に記載の選別装置は、請求項１３に記載の発明の構成に加え、前記収集手段の前記受入口が設けられている壁面と対向する壁面には、前記収集手段内側のゴミを外側に排出するための廃棄口が設けられ、当該廃棄口からは、前記第２の搬送手段が、前記収集手段内側から外側に向かって突出していることを特徴とする構成となっている。
【００３３】
この構成の選別装置では、請求項１３に記載の発明の作用に加え、第２の搬送手段は、収集手段の内側から延設され、廃棄口から収集手段の外側に向かって突出しているので、収集手段から離れた位置にゴミを堆積させることができる。
【００３４】
請求項１５に記載の選別装置は、請求項１４に記載の発明の構成に加え、前記収集手段には、前記廃棄口から外側へ突出している前記第２の搬送手段を覆う第２のカバーが設けられていることを特徴とする構成となっている。
【００３５】
この構成の選別装置では、請求項１４に記載の発明の作用に加え、廃棄口から突出する第２の搬送手段を覆う第２のカバーは、廃棄口からゴミが搬送されると同時に舞い上がる粉塵を抑えることができるので、外部環境の汚染を防止できる。
【００３６】
請求項１６に記載の選別装置は、請求項１５に記載の発明の構成に加え、前記第２のカバーには、前記第２のカバー内の空気を外部に排出するための第２の排気口が設けられていることを特徴とする構成となっている。
【００３７】
この構成の選別装置では、請求項１５に記載の発明の作用に加え、第２のカバーに設けられた第２の排気口から、第２のカバー内の粉塵が混在した空気が排出されるので、第２のカバー内を通過したゴミからは粉塵が舞うことがなく、衛生的に選別処理を行うことができる。
【００３８】
請求項１７に記載の選別装置は、請求項１６に記載の発明の構成に加え、前記第２の排気口には、フィルタが設けられていることを特徴とする構成となっている。
【００３９】
この構成の選別装置では、請求項１６に記載の発明の作用に加え、第２の排気口に設けられたフィルタは、第２のカバー内の空気に混在するビニール片や紙くずなどが、第２の排気口から第２のカバーの外側に排出されないようにすることができる。
【００４０】
請求項１８に記載の選別装置は、請求項１乃至１７の何れかに記載の発明の構成に加え、前記収集手段には、前記収集手段内に空気を送風するための第２の送風手段が設けられていることを特徴とする構成となっている。
【００４１】
この構成の選別装置では、請求項１乃至１７の何れかに記載の発明の作用に加え、第１の送風手段に加えて、第２の送風手段からも収集手段内に空気が送風されるので、収集手段内に吹き込まれたゴミはさらに早く選別され、ゴミの選別処理能力が向上する。
【００４２】
請求項１９に記載の選別装置は、請求項１８に記載の発明の構成に加え、前記収集手段に設けられた前記受入口の下部には、前記収集手段内に空気を送風するために開口した送風口を備え、前記第２の送風手段は、前記送風口から前記収集手段内に向かって送風することを特徴とする構成となっている。
【００４３】
この構成の選別装置では、請求項１８に記載の発明の作用に加え、収集手段の受入口の下部の送風口から、第２の送風手段が収集手段内に向かって送風することにより、受入口から吹き込まれたゴミは、第２の搬送手段の設置付近まで飛ばされるので、収集手段内にゴミを残すことなく収集手段の外部に搬送することができる。
【００４４】
請求項２０に記載の選別装置は、請求項１９に記載の発明の構成に加え、前記送風口にはフィルタが設けられていることを特徴とする構成となっている。
【００４５】
この構成の選別装置では、請求項１９に記載の発明の作用に加え、収集手段の送風口より、大きなゴミ、紙くず等のゴミが収集手段内部に侵入することを防止することができる。
【００４６】
請求項２１に記載の選別装置は、請求項１８乃至２０の何れかに記載の発明の構成に加え、前記第２の送風手段は、前記平板の裏面側に向かって送風することを特徴とする構成となっている。
【００４７】
この構成の選別装置では、請求項１８乃至２０の何れかに記載の発明の作用に加え、受入口から吹き込まれたゴミは平板上を通過する時に、平板の裏面側からさらに送風されて、第２の搬送手段まで飛ばされるので、収集手段内に蓄積することなく、ゴミを収集手段の外部に搬送することができる。
【００４８】
請求項２２に記載の選別装置は、請求項１６乃至２１の何れかに記載の発明の構成に加え、前記第２の排気口には、前記第２のカバー内から排出された空気を前記第２の送風手段に返送するための第２のダクトが設けられていることを特徴とする構成となっている。
【００４９】
この構成の選別装置では、請求項１６乃至２１に何れかに記載の発明の作用に加え、第２の排気口に接続された第２のダクトの一端側の他端側は、第２の送風手段に接続されているので、第２のカバー内の空気と粉塵は第２の排気口より吸引され、第２のカバーを通過したゴミからは粉塵が舞うことなく、収集手段内部のゴミを連続的に取り出すことができる。
【００５０】
請求項２３に記載の選別装置は、請求項１乃至２２の何れかに記載の発明の構成に加え、前記収集手段には、前記収集手段内部に散水する散水手段を備えていることを特徴とする構成となっている。
【００５１】
この構成の選別装置では、請求項１乃至２２の何れかに記載の発明の作用に加え、収集手段に設けられた散水手段によって、収集手段内に飛散する粉塵に水分を含ませることにより、粉塵を下方に落下させることができる。また、収集手段内の敷き板の目詰まりを解消又は防止することができる。
【００５２】
請求項２４に記載の選別装置は、残土を選別する選別装置であって、残土を選別するために、水平面に対して所定角度で傾斜する分離金網と、当該分離金網の残土が流れる方向の上流側で、前記分離金網の左右何れかの一端側近傍において、前記分離金網を表面及び裏面から挟み込むように前記分離金網に固定された一対の振動板と、当該振動板の裏面側に設けられ、前記分離金網を振動させる振動モータとを備えたことを特徴とする構成となっている。
【００５３】
この構成の選別装置では、分離金網の裏側の所定位置には、振動板と振動モータが設けられており、この振動モータによって振動板が振動して、分離金網が振動することで、分離金網上の残土が振動し、ほぐされるので、残土が分離金網の開口に詰まることなく残土の選別処理をすることができる。尚、分離金網を一対の振動板で挟んでいるので、振動モータの振動で分離金網が破損することがない。
【００５４】
請求項２５に記載の選別装置は、請求項２４に記載の発明の構成に加え、前記分離金網において、前記振動板に近い前記一端側より、前記分離金網の残土が流れる方向の下流側に向かって傾斜するように、前記一端側と反対側の他端側とに渡設され、かつ前記分離金網とは所定距離をあけて設けられ、前記分離金網上を落下する大きな残留物を前記分離金網の外部に排出するための遮蔽板を備えたことを特徴とする構成となっている。
【００５５】
この構成の選別装置では、請求項２４に記載の発明の作用に加え、分離金網に設けられた遮蔽板は、分離金網上を落下する大きな残留物を分離金網の外部に排出することができるので、分離金網上を落下する大きな残留物が、第１のカバー部を直撃して破損することを防止することができる。
【００５６】
請求項２６に記載の選別装置は、請求項２５に記載の発明の構成に加え、前記遮蔽板の、前記分離金網の残土が流れる方向に向かって傾斜する方向の下流側には、大きな残留物を前記分離金網より外部に排出するための排出口が設けられていることを特徴とする構成となっている。
【００５７】
この構成の選別装置では、請求項２５に記載の発明の作用に加え、遮蔽板の前記分離金網の残土が流れる方向に向かって傾斜する方向の下流側には排出口が設けられているので、遮蔽板によって取り除かれた大きな残留物は第１の搬送手段に落下することなく、分離金網の外部へ排出させることができる。
【００５８】
請求項２７に記載の選別装置は、請求項２６に記載の発明の構成に加え、前記排出口には、前記遮蔽板によって取り除かれる大きな残留物を前記分離金網の外部に排出するための案内板が設けられていることを特徴とする構成となっている。
【００５９】
この構成の選別装置では、請求項２６に記載の発明の作用に加え、前記排出口には、略矩形上の案内板が設けられているので、遮蔽板によって取り除かれる大きな残留物は、分離金網の排出口からすぐに落下することなく、分離金網よりやや離れた箇所に落下させることができる。
【００６０】
請求項２８に記載の選別装置は、請求項２４乃至２７の何れかに記載の発明の構成に加え、前記分離金網には、前記分離金網の残土が流れる方向と平行に前記分離金網を支持する桟が設けられ、前記振動板と前記桟との間隔より、前記分離金網の前記振動板に近い前記一端側と前記振動板との間隔の方が広くなっていることを特徴とする構成となっている。
【００６１】
この構成の選別装置では、請求項２４乃至２７の何れかに記載の発明の作用に加え、分離金網の略中央には、残土の流れる方向と平行に桟が設けられているので、振動モータの振動により分離金網が振動しても、分離金網は桟に固定されているので、分離金網が歪まないようにすることができる。また、振動板は、振動板と桟との間隔より、振動板と分離金網の振動板に近い一端側との間隔の方が広くなっているため、振動モータによる振動により、分離金網や桟にかかる負担を最小限にすることができる。
【００６２】
【発明の実施の形態】
以下、本発明の一実施の形態である選別装置１について、図面を参照して説明する。尚、選別装置１は、残土を大きさ、重量、磁性等によって選別する装置である。ここでいう残土とは、岩、石、砕石、鉄片、土、砂、木片、紙、繊維、廃プラスチック、ビニール、ゴミ等を含むものとする。まず、選別装置１の全体の構成について、図１、図２、図３及び図４を参照して説明する。ここで、図１は選別装置１の斜視図である。図２は選別装置１の正面図、図３は選別装置１の背面図、図４は第１のカバー部８を取り外した選別装置１の斜視図である。尚、後述する分離金網１２は水平面に対して所定角度で傾斜しており、分離金網１２に供給された残土は、傾斜する分離金網１２上の高い方から低い方へ向かって流れるものとする。よって、以下、分離金網１２の残土が流れる方向とは、傾斜する分離金網１２上の高い方から低い方へ向かう方向を示すこととする。
【００６３】
まず、図１、図２、図３及び図４に示すように、選別装置１において、選別装置１の土台となる傾斜調節フレーム１４の上部には、略長方形状の金網支持枠５４が、水平面に対して所定角度で傾斜して固定されている。さらに金網支持枠５４の上部には、金網支持枠５４と同じ外周枠形状を持つ、１枚の分離金網が固定されている。尚、分離金網１２も金網支持枠５４と同様に、水平面に対して所定角度をもって傾斜している。そして、分離金網１２の裏面側直下には、分離金網１２の網目から落下した土等を、後述する所定方向に搬送するための第１のベルトコンベア２が設置されている。また、分離金網１２の残土が流れる方向の下流側の端部近傍には、第２のベルトコンベア４が、分離金網１２の残土が流れる方向と第２のベルトコンベア４の長さ方向とが垂直に交わるように設置されている。
【００６４】
さらに、第２のベルトコンベア４の搬送方向（図４の第２のベルトコンベア４のベルト上に示す矢印方向）の下流側上部には、搬送される残留物中から磁性物（鉄片・鉄塊など）のみを選別するための磁選機３が設けられている。また、第２のベルトコンベア４の上部であって、分離金網１２の残土が流れる方向の下流側の端部近傍と、当該端部近傍から第２のベルトコンベア４の搬送方向とは反対方向の下流側端部までを覆うための第１のカバー部８が設置されている。さらに、第２のベルトコンベア４上に設置された第１のカバー部８の開口部分に向かって、空気を送風するための第１の送風機９が設置されている。これは、第１の送風機９が、第２のベルトコンベア４の磁選機３側に向かって搬送する方向とは反対方向に送風するようになっている。
【００６５】
そして、第２のベルトコンベア４の搬送方向とは反対方向の下流側端部には、第１の送風機９によって、残留物中から吹き出されるゴミ等の軽量物を大きさ、重量等によって収集し、選別するための収集装置５が接続されている。また、収集装置５の上面部には、収集装置５内の空気を外側に排気するための排気ボックス６２が設けられ、排気ボックス６２には、収集装置５内から排出される空気を再度第１の送風機９に返送するための第１のダクト７が接続されている。また、傾斜調節フレーム１４の内側には、図２及び図３に示すように、電源装置（発電機）１６が設置され、電源装置１６には傾斜調節フレーム１４に固定された配電盤１７が接続され、さらに配電盤１７には第１のベルトコンベア２、磁選機３、第２のベルトコンベア４、第１の送風機９が接続されている。
【００６６】
次に、傾斜調節フレーム１４について、図５を参照して説明する。図５は傾斜調節フレーム１４の斜視図である。傾斜調節フレーム１４は、分離金網１２、第１のベルトコンベア２、第２のベルトコンベア４を支持し、かつ分離金網１２の水平面に対する傾斜角度を調節するための部材である。まず、図５に示すように、傾斜調節フレーム１４は、４本の梁部材から構成された土台部３１と、土台部３１の図中左右両側から上方向に延設された左右側鉛直部３２，３３と、右側鉛直部３３よりさらに上方向に伸長する伸長部３４と、左側鉛直部３２及び伸長部３４によって支持される略長方形状に構成された枠部３５とによって、実質的に選別装置１の傾斜調節フレーム１４が構成されている。
【００６７】
さらに詳細に説明すると、土台部３１は、図中左右方向に延びる２本の長辺梁３１ａ、３１ｂと、長辺梁３１ａ、３１ｂに直交し、やや断面積の小さい２本の短辺梁３１ｃ、３１ｄとの計４本の梁部材によって略長方形に構成されている。これに対し、左側鉛直部３２は、土台部３１の図中左側に位置する短辺梁３１ｃの両端部から上方に向かって略鉛直方向に延びた鉛直梁３２ａ、３２ｂとから構成されている。そして、鉛直梁３２ａの上部と、３２ｂの上部との間には、水平梁４４が水平方向に渡設されている。さらに、鉛直梁３２ａ，３２ｂの水平梁４４の下部近傍からは、土台部３１より離れる側に向かって水平方向にＬ型梁３６ａ，３６ｂが一対となって延設されている。
【００６８】
そして、Ｌ型梁３６ａ，３６ｂの鉛直梁３２ａ，３２ｂから離れる側の先端部の上面には、パイプ梁４２，４２がＬ型梁３６ａ，３６ｂに対して略垂直にそれぞれ接続されている。さらに、Ｌ型梁３６ａの土台部３１より離れる側の先端部であって、Ｌ型梁３６ｂ側とは反対側の側面には、水平面に略垂直なパイプ梁４３が当接されている。一方、Ｌ型梁３６ｂの土台部３１より離れる側の先端部であって、Ｌ型梁３６ａ側とは反対側の側面にも、水平面に略垂直なパイプ梁４３が当接されている。尚、パイプ梁４３，４３は、パイプ梁４２，４２よりやや長くなっている。さらに、パイプ梁４２，４２は、パイプ梁穴４２ａ，４２ａを有し、後述する落下吸収部２０の棒部材２０ｅ，２０ｅが挿入され、落下吸収部２０が傾斜調節フレーム１４に固定されるようになっている。また、パイプ梁４３，４３も同様にパイプ梁穴４３ａ，４３ａを有し、後述する第１のカバー部８のカバー支持軸１０８ａ，１０８ｂがそれぞれ挿入され、第１のカバー部８が傾斜調節フレーム１４に固定されるようになっている。
【００６９】
一方、右側鉛直部３３は、土台部３１の図中右側に位置する短辺梁３１ｄの両端部から上方に向かって略鉛直方向に延びた鉛直梁３３ａ，３３ｂから構成されている。また、鉛直梁３３ａの上部と、３３ｂの上部との間には、後述する第２のベルトコンベア４を固定するための水平パイプ３６が水平方向に渡設されている。尚、鉛直梁３３ａ，３３ｂは、左側鉛直部３２を構成する鉛直梁３２ａ，３２ｂより長くなっている。そして、それぞれの鉛直梁３３ａ，３３ｂからは、さらに上方向に、伸長梁３４ａ，３４ｂが延設されている。ここで、鉛直梁３３ａ，３３ｂは略四角形状の長筒型部材であり、鉛直梁３３ａ筒内には、伸長梁３４ａが挿入されており、鉛直梁３３ａの長さ方向の上方に向かって伸長するようになっている。また、鉛直梁３３ｂには、伸長梁３４ｂが挿入されており、鉛直梁３３ｂの長さ方向の上方に向かって伸長するようになっている。
【００７０】
さらに、伸長梁３４ａの長さ方向下端部には、嵌合穴４１ａ，４１ｂ及び４１ｃが設けられ、伸長梁３４ｂの長さ方向下端部にも、嵌合穴４１ａ４１ｂ及び４１ｃがそれぞれ設けられている。また、鉛直梁３３ａ，３３ｂには、調節穴４１ｄ，４１ｄがそれぞれ設けられている。そして、それぞれの伸長梁の嵌合穴４１ａ，４１ｂ及び４１ｃの何れか１つの嵌合穴に鉛直梁３３ａ，３３ｂの調節穴４１ｄを合わせて、それらに調節ピン４１を嵌合させる。こうして伸長梁３４ａ，３４ｂを鉛直梁３３ａ，３３ｂに固定することにより、伸長梁３４ａ，３４ｂの伸長の長さを３段階に調節することができる。
【００７１】
また、枠部３５は、長梁３５ａ，３５ｂと、それらに直交する短梁３５ｃ，３５ｄとで枠部３５の外周枠形状が構成される。また、長梁３５ａ，３５ｂのそれぞれの長さ方向略中央部において、支持梁３５ｅが短梁３５ｃ，３５ｄと平行になるように渡設され、枠部３５の外周枠が歪まないように固定している。さらに、短梁３５ｄの長さ方向の略中央部の枠部３５の外側には、穴部を有する引っ掛け片１８が接続されている。
【００７２】
次に、枠部３５の傾斜角度の調節方法について、図５を参照して説明する。まず、伸長梁３４ａの長さ方向の上部の先端部には連結部材３７ａがあり、伸長梁３４ｂの長さ方向の上部の先端部には連結部材３７ｂがある。また、左側鉛直部３２の鉛直梁３２ａの長さ方向の上部の先端側には連結部材３７ｃが接続され、鉛直梁３２ｂの長さ方向の上部の先端側にも連結部材３７ｄが接続されている。これら４つの連結部材３７ａ，３７ｂ，３７ｃ及び３７ｄは、枠部３５の長梁３５ａ，３５ｂの長さ方向の右端部及び左端部近傍をそれぞれ挟持する。そして、それぞれの連結部材３７ａ，３７ｂ，３７ｃ及び３７ｄに留めピン３８を取付けることにより、枠部３５は軸支される。よって、上述したように、伸長梁３４ａ，３４ｂは３段階に伸長するので、枠部３５は３段階に傾斜角度を調節することができる。尚、枠部３５の水平面に対する傾斜角度は水平面に対して３０度、３５度、４０度となっている。これらの傾斜角度は、上記に限らず自由に変更してよい。また、枠部３５の傾斜角度を変更する時は、枠部３５の短梁３５ｄの引っ掛け片１８をクレーン等で上方へ吊り上げて、伸長部３４の伸長する長さを調節する。尚、枠部３５の傾斜角度、即ち分離金網１２の傾斜角度を高くすると、分離金網１２を落下する土砂の粒径は小さくなり、より細かく土砂を選別することができる。
【００７３】
また、右側鉛直部３３を構成する鉛直梁３３ａ，３３ｂと、土台部３１を構成する長辺梁３１ａ，３１ｂとがそれぞれ垂直に直交する部分を両側から２枚の連結片４０で当接し、留めピン３９で、鉛直梁３３ａ，３３ｂを軸支している。よって、例えば、傾斜調節フレーム１４から枠部３５を取り外し、さらに伸長梁３４ａ，３４ｂを鉛直梁３３ａ，３３ｂの内部奥まで挿入すると、鉛直梁３３ａ，３３ｂは各連結片４０において、傾斜調節フレーム１４の内側に折り畳むことができるので、折り畳まれた傾斜調節フレーム１４をトラックに積み込んで、作業現場等に輸送することができる。
【００７４】
また、伸長梁３４ａ，３４ｂの長さ方向で地面から離れる側のそれぞれの先端部近傍の間には、シート取付梁１２３が水平方向に渡設されている。これは、防塵シート（図示外）を取付ける際に使用する部材であり、シート取付梁１２３から下方向に防塵シートが吊るされるようになっている。
【００７５】
次に、分離金網１２と、第１のベルトコンベア２について、図６を参照して説明する。図６は分離金網１２、金網支持枠５４、遮蔽板１０及び、第１のベルトコンベア２等を装着した傾斜調節フレーム１４の斜視図である。図６に示すように、略長方形状の分離金網１２には、分離金網１２の残土が流れる方向に平行な両端部に挟まれる略中央部に沿って、細長い平板部材の桟５３が固定されている。さらに、分離金網１２の外周枠にも、４本の細長い平板部材から構成される周囲桟５７が固定されている。この桟５３及び周囲桟５７は、後述する振動モータ１３の振動により、分離金網１２に歪みが生じたり、破損したりするのを防止することができる。
【００７６】
そして、分離金網１２の裏面側には、分離金網１２と同じ外枠形状からなり、分離金網１２を支持するための金網支持枠５４が設けられている。金網支持枠５４は、４本の梁部材から構成される略長方形状の枠と、枠内部において互いに対向する梁部材のそれぞれの略中央間に渡設される梁部材が、枠の中央において直角に交差する２本の梁部材とから構成されている。そして、分離金網１２の桟５３と金網支持枠５４との間、及び周囲桟５７と金網支持枠５４との間には、防振ゴム５２がそれぞれ配設されている。具体的には、桟５３と金網支持枠５４との間には防振ゴム５２が６個配設されている。また、周囲桟５７の長さ方向（分離金網１２の残土が流れる方向）に平行な両端側と金網支持枠５４との間には、一端側に６個ずつ、計１２個の防振ゴムが配設されている。また周囲桟５７の長さ方向と垂直な両端側と金網支持枠５４との間には、一端側に２個ずつ、計４個の防振ゴムが配設されている。尚、この防振ゴム５２の個数は、これらに限らず自由に変更してもよい。これらの防振ゴム５２は、後述する振動モータ１３の振動が分離金網１２以外の各部材に伝わらないようにするために設けられている。また、これらの防振ゴム５２により、分離金網１２と金網支持枠５４は固定されている。
【００７７】
また、金網支持枠５４は傾斜調節フレーム１４の枠部３５の上部に固定されている。具体的には、図５に示す枠部３５の長梁３５ａの長さ方向の右端部近傍、及び左端部近傍の枠部３５の外側に位置する面には、それぞれ１つの連結部材５５が、上方に突出して接続されている。また、枠部３５の長梁３５ｂの長さ方向の右端部近傍、及び左端部近傍の枠部３５の外側に位置する面にもそれぞれ１つの連結部材（図示外）が上方に突出して接続されている。そして、各連結部材５５の突出部分には、金網支持枠５４の各片がそれぞれ固定される。こうして、分離金網１２を支持する金網支持枠５４は、傾斜調節フレーム１４により固定される。
【００７８】
さらに、図６に示すように、水平面に対して傾斜する金網支持枠５４の地面に近い一端側の両端部近傍には、略Ｌ字形形状の保持部材８９の一端側がそれぞれ接続され、保持部材８９の金網支持枠５４に接続された一端側と反対側の他端側は、分離金網１２の面に対して上方向略垂直に折れ曲がっている。そして、保持部材８９，８９と周囲桟５７の第２のベルトコンベア４の接続側の辺との間には、防振ゴム５２，５２がそれぞれ接続されている。これらの防振ゴム５２，５２は、振動モータ１３により振動する分離金網１２を、第２のベルトコンベア４の設置側より分離金網１２を安定させるために、分離金網１２を支持している。
【００７９】
さらに、図６に示すように、分離金網１２の残土が流れる方向に平行な両端側近傍には、平板形状の金網シュート片１２ａ，１２ｃが設けられている。さらに、分離金網１２の残土が流れる方向の上流側に位置する一端側近傍には、平板形状の金網シュート片１２ｂが設けられている。そしてそれぞれの金網シュート片１２ａ，１２ｂ及び１２ｃの一端側は金網支持枠５４から上方に向かって延設したシュート固定片１０２にそれぞれ固定されている。そして、金網シュート片１２ａと１２ｃは、金網支持枠５４と接続する一端側とは反対側の他端側は互いにＶ字形形状になるように、上方向に向かって傾斜している。また、金網シュート片１２ｂの金網支持枠５４と接続する一端側とは反対側の他端側も上方に向かって、分離金網１２とは反対側に傾斜している。尚、金網シュート片１２ｃの長さ方向の略中央部には、後述する遮蔽板固定片１０ａが分離金網１２上に延設されるための隙間が設けられている。
【００８０】
また、図２及び図３に示すように、金網シュート片１２ａの分離金網１２とは反対側の面には、長さ方向に平行なシート取付梁１２０が設けられ、金網シュート片１２ｃの分離金網１２とは反対側の面には、長さ方向に平行なシート取付梁１２１が設けられている。これらは、防音・防塵シート（図示外）を取付ける部材であり、防音・防塵シートを各々のシート取付梁１２０，１２１から下方向へ吊るして、防音・防塵シートの下端部を後述する第１のベルトコンベア２のコンベアシュート片２ａの端部にそれぞれ固定することにより、分離金網１２の網目を土等が落下する際に、粉塵が外部に飛散することを抑えることができる。また、後述する振動モータ１３から発する振動音を抑えることができる。
【００８１】
次に、分離金網１２に固定される振動板１１と振動モータ１３について、図６を参照して説明する。まず、分離金網１２の表面及び裏面側には、略矩形状である振動板１１が固定される。この振動板１１は略矩形状の鉄板片であり、分離金網１２の残土が流れる方向の上流側で、分離金網１２の左右何れかの一端側近傍において、分離金網１２を表面側及び裏面側から挟み込むように分離金網１２に固定されている。具体的には、図６に示すように、桟５３と振動板１１との隙間より、振動板１１と周囲桟５７の振動板１１側の一端側との隙間の方が広くなるように振動板１１は分離金網１２に固定されている。そして、振動モータ１３は分離金網１２に固定された分離金網１２の裏面側に固定された振動板１１に固定される。振動板１１が上述の位置に固定されると、振動モータ１３の振動が振動板１１を通じて分離金網１２に伝わる際に、桟５３、周囲桟５７又は振動モータ１３等に最も負荷をかけずに、分離金網１２を振動させることができる。よって、分離金網１２、桟５３、周囲桟５７又は振動モータ１３等の部材の損傷は最小限に抑えることができる。
【００８２】
次に、遮蔽板１０について、図６を参照して説明する。図６に示すように、分離金網１２の残土が流れる方向と平行であって、分離金網１２に固定された振動板１１側の一端側の略中央部には、分離金網１２の表面に対して、上方、かつ略垂直方向に長さ方向を有する遮蔽板固定片１０ａが金網支持枠５４より延設されている。また、金網支持枠５４の遮蔽板固定片１０ａが接続する一端側とは反対側の他端側であって、地面に最も近い角部近傍からは、分離金網１２の表面に対して、上方、かつ略垂直方向に長さ方向を有する遮蔽板固定片１０ｂが金網支持枠５４より延設されている。これらの遮蔽板固定片１０ａ，１０ｂは互いに同じ長さであり、それぞれ６個の調節穴が設けられている。この遮蔽板固定片１０ａと遮蔽板固定片１０ｂとの間には、略長方形状の板部材である遮蔽板１０が水平方向に渡設されている。尚、遮蔽板１０の面は分離金網１２の面と略垂直になるように、遮蔽板１０は、遮蔽板固定片１０ａ，１０ｂに固定されている。
【００８３】
さらに詳細に説明すると、遮蔽板固定片１０ａ，１０ｂのそれぞれの調節穴に、遮蔽板１０の長さ方向に垂直な両端部をそれぞれ当接させ、ピンで固定することにより、遮蔽板１０は遮蔽板固定片１０ａ，１０ｂに渡設される。そして、遮蔽板１０は遮蔽板固定片１０ａ，１０ｂに固定する調節穴を選択して調節することにより、分離金網１２の表面と遮蔽板１０とにできる間隔（隙間）を調節することができる。これは、処理する残土内に含まれる大きな残留物の内、分離金網１２の外部に排出させる砕石物等のサイズを予め決め、そのサイズより分離金網１２の表面と遮蔽板１０とにできる間隔（隙間）を狭くすることにより、その砕石物等は遮蔽板１０で遮断され、第２のベルトコンベア４に落下しないようになっている。尚、分離金網１２の表面と遮蔽板１０とにできる間隔（隙間）は、５０ｍｍから３００ｍｍの範囲内で５０ｍｍずつ変更することが可能となっている。尚、この遮蔽板１０の高さは、遮蔽板固定片１０ａ，１０ｂの調節穴の個数等を変えるなどして、変更してもよい。
【００８４】
さらに、分離金網１２には、遮蔽板１０によって取り除かれた大きな残留物を外部に排出するために、遮蔽板１０を固定する遮蔽板固定片１０ｂの近傍に、排出口１００が設けられている。排出口１００は、上述の金網シュート片１２ａの分離金網１２の残土が流れる方向下流側は短く切断されており、遮蔽板１０によって取り除かれた大きな残留物が分離金網１２の外部に排出されるようになっている。また、排出口１００には、略台形状の落下物シュート５０が設けられており、遮蔽板１０によって取り除かれ、分離金網１２の排出口１００を通過する大きな残留物を分離金網１２よりやや離れる位置に誘導し、排出させることができる。
【００８５】
尚、遮蔽板１０は、分離金網１２の振動板１１の取付側から、残土が流れる方向の下流側に向かって傾斜（図中左下がり）している。よって、例えば、振動板１１が、分離金網１２の図６の取付位置（分離金網１２の右側）とは反対側（分離金網１２の左側）に固定されている場合は、遮蔽板１０の傾斜は逆（図中右下がり）になるようにする。また、それに従って、遮蔽板１０の傾斜する方向の下流側に、排出口１００を設けるようにする。
【００８６】
次に、第１のベルトコンベア２の接続方法について、図１、図２、図３及び図６を参照して説明する。第１のベルトコンベア２は、分離金網１２の網目を落ちた土等を分離金網１２の直下で受け入れ、傾斜調節フレーム１４の内側から外側に向かって搬送する。第１のベルトコンベア２の長さ方向に平行な両端部には、図１、図２、図３及び図４に示すように、コンベアシュート片２ａ，２ａが上方に向かって互いにＶ字形に開くようにそれぞれ設けられており、分離金網１２の網目を落ちた土等がすべて第１のベルトコンベア２に落下するようになっている。第１のベルトコンベア２は、図５に示す傾斜調節フレーム１４の水平パイプ３６と伸長梁３４ａ，３４ｂ、シート取付梁１２３とによって囲まれる面より、傾斜調節フレーム１４の内側方向に向かって渡設され、傾斜調節フレーム１４の短辺梁３１ｃに第１のベルトコンベア２の一端部を当接する。そして、図６に示すように、傾斜調節フレーム１４の短辺梁３１ｃに設けられた固定金具５１に第１のベルトコンベア２の一端部を嵌合させ、ピン（図示外）で固定することにより第１のベルトコンベア２の一端部が固定される。そして、水平パイプ３６上に第１のベルトコンベア２の長さ方向の略中央部を載置させ、留め具４５，４５（図５参照）を用いて、第１のベルトコンベア２の略中央部を水平パイプ３６に固定する。こうして、第１のベルトコンベア２は分離金網１２の直下に固定され、分離金網１２から落下した土等に働く重力加速度が最小限に抑えられるようになっている。
【００８７】
次に、第２のベルトコンベア４について図２，図３，図４，図５及び図７を参照して説明する。図７は第１のカバー部８を外した第２のベルトコンベア４上の正面図である。図７に示すように、第２のベルトコンベア４は、図５に示す傾斜調節フレーム１４の鉛直梁３２ａ，３２ｂから土台部３１より離れる側に向かって、略水平方向に接続されたＬ型梁３６ａ，３６ｂ上に渡設されている。また、図４又は図７に示すように、分離金網１２の目を落下しなかったすべての残留物が、第２のベルトコンベア４上に誘導され、落下するように、略長方形状の誘導片２３が、金網支持枠５４の第２のベルトコンベア４の設置側の一端側上面より、第２のベルトコンベア４の上面に向かって延設されている。
【００８８】
また、図４及び図７に示すように、第２のベルトコンベア４の長さ方向の両端側には、第２のベルトコンベア４の搬送方向と平行なベルト部分の両端側近傍にそれぞれ延設された、落下防止部２７，２７が設置されている。２つの落下防止部２７，２７は、弾性体２７ａ，２７ａを固定具２７ｂ，２７ｂでそれぞれ固定して保持している。落下防止部２７，２７は、それぞれの弾性体２７ａ，２７ａを、第２のベルトコンベア４のベルト部を中央として、ベルト部の両端近傍から互いに略Ｖ字形になるように設置されている。落下防止部２７，２７は、第２のベルトコンベア４上に落下した残留物が、搬送される際にベルトの外側に落下するのを防止している。
【００８９】
さらに、分離金網１２上を流れた残留物が第２のベルトコンベア４に向かって落下する方向には、残留物を受け止める略長方形状の弾性体２０ａを保持する落下吸収部２０が、第２のベルトコンベア４の長さ方向に平行に設けられている。この略長方形状の弾性体２０ａは、分離金網１２の残土が流れる方向の両端間の長さとほぼ同じ長さを有しており、第２のベルトコンベア４のベルト部分の分離金網１２から離れる一端側近傍に略垂直に降り立つように設けられている。
【００９０】
次に、落下吸収部２０について、図４又は図７を参照して具体的に説明する。図４及び図７に示すように、地面に対して垂直方向を有する棒部材２０ｅ，２０ｅのそれぞれの上端部からは、水平方向に向かって棒部材２０ｄ，２０ｄが接続されている。そして、棒部材２０ｄ，２０ｄの棒部材２０ｅ，２０ｅと接続する一端側と反対側の他端側には、棒部材２０ｄと２０ｄとの距離より、やや大きい幅を有する１枚の略長方形状の弾性体２０ａが固定されている。具体的にいうと、水平面に対して略垂直な面を有する略長方形状の弾性体２０ａの地面と平行な上端部近傍の表面及び裏面側に、樹脂固定片２０ｂ，２０ｆがそれぞれ当接されており、固定具２０ｃで弾性体２０ａと樹脂固定片２０ｂ，２０ｆとを固定している。そして、樹脂固定片２０ｂ，２０ｆで固定された弾性体２０ａの樹脂固定片２０ｂ，２０ｆが固定されている部分の近傍に、棒部材２０ｄ，２０ｄが弾性体２０ａの面に対して垂直に接続されることにより、落下吸収部２０が構成される。そして、落下吸収部２０は、図４又は図７に示すように、そして、弾性体２０ａの棒部材２０ｄ，２０ｄが接続されている面とは反対側の面を第２のベルトコンベア４側に対向させ、落下吸収部２０の棒部材２０ｅ，２０ｅを、傾斜調節フレーム１４のＬ型梁３６ａ，３６ｂに接続されたパイプ梁４２，４２のパイプ梁穴４２ａ，４２ａ（図５、図６参照）にそれぞれ挿入させることにより、落下吸収部２０が傾斜調節フレーム１４に固定される。この落下吸収部２０は、分離金網１２から勢いよく落下する残留物が、第１のカバー部８に直接衝突しないように設けられている。
【００９１】
次に、第１のカバー部８について、図８を参照して説明する。図８は第１のカバー部８の斜視図である。第１のカバー部８は、略「く」の字形形状をした第１のユニット２０８と第２のユニット２０９とから構成され、それぞれの端部が互いに略垂直に接続している。また、各ユニットは弾性体（ゴム）の板からなる複数のカバー片が各々連接して構成され、各連接部位は平板のアングル部材によって固定されている。まず、第１のユニット２０８は、略長方形状の第１のカバー片８ａと、第２のカバー片８ｂとから構成されている。略長方形状の第１のカバー片８ａは長さ方向両端部の一端側が水平面に対して傾斜している。尚、第１のカバー片８ａの傾斜角度は、第１のカバー部８を傾斜調節フレーム１４に固定した時に、第１のカバー片８ａが、分離金網１２の面に接しないように調節する。さらに傾斜する第１のカバー片８ａの地面に近い一端側には、地面に対して略鉛直方向に第２のカバー片８ｂが連接され、下方に垂れ下がるようになっている。ている。そして傾斜する第１のカバー片８ａの地面に近い一端側の両端部からは、カバー支持軸１０８ａ，１０８ｂがそれぞれ地面に対して鉛直方向に接続されている。また、第２のカバー片８ｂにおいて、第１のカバー片８ａとカバー支持軸１０８ａ，１０８ｂとの接続部分近傍には、切欠部１０９ａ，１０９ｂがそれぞれ設けられている。これらは図１に示すように、落下吸収部２０の棒部材２０ｄ，２０ｄが切欠部１０９ａ，１０９ｂに嵌合することにより、第１のカバー部８の内側に落下吸収部２０を設置できるようになっている。
【００９２】
一方、第２のユニット２０９は、第３のカバー片８ｃ、第４のカバー片８ｄ、第５のカバー片８ｅ、第６のカバー片８ｆの４つのカバー片から構成されている。まず、略直角三角形状の第３のカバー片８ｃと、略長方形状の第４のカバー片８ｄとが連接して、水平面に平行な略三角形状の上面部を構成する。また、連接する第３のカバー片８ｃと第４のカバー片８ｄとからなる直線状に連接する辺には、台形状の第５のカバー片８ｅが、地面に対して鉛直方向に連接され、さらに第５のカバー片８ｅからは第６のカバー片８ｆが連接されている。そして、第１のユニット２０８と第２のユニット２０９とが互いに略直角になるように連接することにより、第１のカバー部８が構成される。
【００９３】
次に、第１のカバー部８の傾斜調節フレーム１４への固定方法について説明する。まず、図４に示すように、傾斜調節フレーム１４に第２のベルトコンベア４と落下吸収部２０とを設置する。そして、図８に示す第１のカバー部８の第１のカバー片８ａの第２のカバー片８ｂと連接する一端側とは反対側の他端側を分離金網１２側に向かうようにし、図６に示す傾斜調節フレーム１４のパイプ梁４３のパイプ梁穴４３ａに、第１のカバー部８のカバー支持軸１０８ａを嵌合させ、傾斜調節フレーム１４のパイプ梁４３のパイプ梁穴４３ａに、第１のカバー部８のカバー支持軸１０８ｂを嵌合させる。そして、第１のカバー片８ｂは、図２又は図３に示すように、第２のベルトコンベア４のベルト側に向かって湾曲させる。この時に、図１に示すように、落下吸収部２０の棒部材２０ｄ，２０ｄを第２のカバー片８ｂの切欠部１０９ａ，１０９ｂ（図８参照）に嵌合させる。そして、第６のカバー片８ｆも同様に、第２のベルトコンベア４のベルト側に向かって湾曲させる。こうして、図１に示すように、第１のカバー部８は、第２のベルトコンベア４が接続された傾斜調節フレーム１４に固定される。また、第１のカバー部８の第４のカバー片８ｄは、後述する収集装置５の第１の連結片７３に垂直に当接される。そして、第１のカバー部８の第５のカバー片８ｆは、後述する収集装置５の第２の連結片７２に当接して固定される。よって、第１の送風機９による空気の流れは、第２のベルトコンベア４から収集装置５に向かうようになっている。
【００９４】
次に、第１の送風機９について、図４を参照して説明する。図４に示すように、第１の送風機９は、後述する磁選機架台１５に、磁選機３とは反対方向に向かって、水平面よりやや下方に傾斜した取付板２１に固定されている。そして、第１の送風機９は、第２のベルトコンベア４の搬送方向とは反対方向、即ち磁選機３の設置方向とは反対方向に向かって、第１のカバー部８内に送風するように固定されている。これは、分離金網１２から落下して、第２のベルトコンベア４にて搬送される残留物に対して、搬送方向とは反対方向に送風することにより、ビニール、紙くず及び廃プラ等のゴミが、第１の送風機９の送風する方向に吹き飛ばされるようになっている。さらに、第２のベルトコンベア４は第１のカバー部８によって覆われているので、ゴミは周辺に飛散しないようになっている。そして、収集装置５の第２のベルトコンベア４と接続する側面には、後述する略矩形状の受入口２４が設けられており、第１の送風機９の送風により、吹き飛ばされたゴミが収集装置５に吹き込まれるようになっている。
【００９５】
次に、磁選機３について、図１又は図４を参照して説明する。図１及び図４に示すように、磁選機３は、第２のベルトコンベア４の残留物を搬送する方向の下流側の上部から吊り下げられ、コンベア上の搬送物中から磁性物（鉄片・鉄塊など）のみを選別除去するために設けられている。磁選機３は電磁式の吊下磁選機である。磁選機３の構造は、鉄芯とケース、アルミ条コイルとコイルの熱を逃がすための絶縁油とで電磁石が構成されており、電磁石に吸引された鉄片等の磁性物はスクレーパー（図示外）付のベルト部にて外部に排出されるようになっている。尚、磁選機架台１５は、各棒状部材から構成された架台であり、磁選機架台１５の上面部に渡設された固定梁１５ａ，１５ａから、４本の吊下棒２５が、地面に対して略垂直方向に固定され、さらにそれらの長さ方向の地面側先端に磁選機３が吊り下げられるようになっている。
【００９６】
次に、収集装置５について、図９，図１０，図１１及び図１２を参照して説明する。図９は、収集装置５の斜視図であり、図１０は収集装置５の正面図、図１１は左右扉部６０，６１を開いた状態の収集装置５の正面図であり、図１２は収集装置５（はしご部９０は省略）の平面図である。収集装置５は、底面を有しない略直方体状の箱であって、第２のベルトコンベア４が接続される第１の壁面９１と、上面部を形成する第２の壁面９２と、第１の壁面９１と対向する第３の壁面９３と、前面部を形成する第４の壁面９４と、背面部を形成する第５の壁面９５とから構成されている。そして、収集装置５の第１の壁面９１は、第２のベルトコンベア４の搬送方向とは反対方向の下流側の端部に、第２のベルトコンベア４の長さ方向と垂直になるように接続されている。さらに、収集装置５の第１の壁面９１には、略矩形状であって、第１のカバー部８に覆われた第２のベルトコンベア４側から吹き込まれるゴミ等を受け入れる受入口２４が設けられている。
【００９７】
また、第２のベルトコンベア４が接続される第１の壁面９１には、略矩形状の平板部材である第１の連結片７３が、受入口２４の上部に面接合され、第１の壁面９１の上辺よりやや上方に突出して固定されている。また、受入口２４の地面に垂直な第４の壁面９４側の一辺とその上方に向かう延長線上には、第２の連結片７２の端部が第１の壁面９１と略垂直に接続されている。第２の連結片７２は、細長い略長方形状であって、上方向に長さ方向を有する部材である。また、第２の連結片７２の上端部は、第１の連結片７３の上端部と同一平面上となるように切断されている。これらは第２のベルトコンベア４上に設置される第１のカバー部８の第５のカバー片８ｅの端部と接続するための部材となる。第２の連結片７２には、取付穴７２ａ，７２ｂ，７２ｃ及び７２ｄが設けられており、それぞれを第１のカバー部８と当接させて取付穴７２ａ，７２ｂ，７２ｃ及び７２ｄを固定具（図示外）で固定し、図１に示すように、第１のカバー部８と収集装置５とが互いに接続するようになっている。
【００９８】
また、図９、図１０に示すように、収集装置５の前面部を形成する第４の壁面９４には、水平面に対して略垂直な両端部を開閉軸心として、中央より観音開き式に開閉可能となる右扉部６０，左扉部６１が設けられている。尚、右扉部６０はちょうつがい部７１ｃ，７１ｄによって軸支され、開閉可能となっている。また、左扉部６１も同様に、ちょうつがい部７１ａ，７１ｂによって軸支され、開閉可能となっている。さらに、右扉部６０の略中央部には、窓部６０ａが、左扉部６１の略中央部には、窓部６１ａがそれぞれ設けられ、選別装置１が稼働中でも収集装置５の内部を確認できるようになっている。
【００９９】
さらに、図１０に示すように、右扉部６０には、左扉部６１と隣接する右扉部６０の端部近傍の上下部には、嵌合穴６９ｂ，７１ｂが設けられている。一方、左扉部６１にも同様に、右扉部６０に隣接する左扉部６１の端部近傍の上下には、嵌合穴６９ａ，７１ａが設けられている。また、図１１に示すように、左右扉部６１，６０が開いた収集装置５の第１の壁面９１と第２の壁面９３との間の略中央に設けられた水平面に略垂直な中央梁８６の上部近傍には、凸部６８ａ，６８ｂが設けられ、中央梁８６の下部近傍には凸部７０ａ，７０ｂがそれぞれ設けられている。そして、左右扉部６１，６０が閉じた際に、嵌合穴６９ａには凸部６８ａが嵌合し、嵌合穴７１ａには凸部７０ａが嵌合し、嵌合穴６９ｂには凸部６８ｂが嵌合し、嵌合穴７１ｂには凸部７０ｂが嵌合するようになっており、それぞれの嵌合穴からは、凸部がやや突出するようになっている。
【０１００】
また、それぞれの凸部６８ａ，６８ｂ，７０ａ及び７０ｂは、水平面に対して略垂直方向に穴部（図示外）が設けられており、図１０に示すように、右扉部６０，左扉部６１が閉じられた状態において、それぞれの嵌合穴より突出した凸部の穴部に略「く」の字形のカギ部６７を嵌合させることによって右扉部６０，左扉部６１は共にロック状態となる。また、右扉部６０の左扉部６１と隣接する端部の略中央部には、水平面に略垂直な穴部（図示外）を有したパイプ状の取っ手部６６ｂが設けられている。一方、左扉部６１の右扉部６０と隣接する端部の略中央部にも、水平面に略垂直な穴部（図示外）を有したパイプ状の取っ手部６６ａが設けられている。これらは、右扉部６０，左扉部６１を各々開閉する際に、凸部６８ａ，６８ｂ，７０ａ及び７０ｂからそれぞれ外した何れかのカギ部６７を取っ手部６６ａ，６６ｂにそれぞれ挿入し、手前方向に引くことにより、左扉部６１、右扉部６０が観音開きに各々開くようになっている。
【０１０１】
さらに、図１０に示すように、第４の壁面９４において、左扉部６１、右扉部６０の下部には、略長方形状の蓋部６５が設けられている。蓋部６５における地面と略垂直方向を有する両端側の左側近傍には嵌合穴８５ａ、右側には嵌合穴８５ｂが設けられている。蓋部６５の水平方向に略平行な両端間の長さは、後述する敷き板８４と地面との間の長さと同じになっている。これらは、図１０又は図１１に示すように、左扉部６１、右扉部６０の下部に蓋部６５が着脱可能となるように、蓋部６５を外した収集装置５の第４の壁面９４の左右扉部６１，６０より下部において、水平面に対して略垂直な両端部の近傍にはそれぞれ凸部７４ａ，７４ｂが設けられている。よって、蓋部６５の嵌合穴８５ａには凸部７４ａが、嵌合穴８５ｂには凸部７４ｂが嵌合するようになっている。凸部７４ａ，７４ｂは、水平面に略垂直な穴部（図示外）を有している。よって、嵌合穴８５ａには凸部７４ａが、嵌合穴８５ｂには凸部７４ｂが嵌合した際には、それぞれの凸部が嵌合穴よりやや突出し、それぞれの穴部にカギ部６７を嵌合させることにより、蓋部６５は収集装置５の下部に固定されることになる。
【０１０２】
また、図９に示すように、上面部を形成する第２の壁面９２において、第３の壁面９３及び第４の壁面９４側近傍には、収集装置５の内部の空気を外部に排出するために開口した略矩形状の排気口９７（図１２参照）が設けられ、第１の排気口９７の上部（収集装置５の外側）には、略直方体状の箱である排気ボックス６２が設けられている。さらに、図１２に示すように、排気ボックス６２において、第５の壁面９５と平行であって、第５の壁面９５側の側面には、円筒状の円筒部材６２ａが円部を当接して設けられている。また、排気ボックス６２の円筒部材６２ａに囲まれる側面部分は切り抜かれている。さらに、円筒部材６２ａには、ホース状の第１のダクト７が接続されおり（図１、図３及び図９参照）、図１２に示す円筒部材６２ａと接続する一端側とは反対側の他端側は、上述したように、第１の送風機９に接続されている。よって、第１の排気口９７から排出された空気は、排気ボックス６２から第１のダクト７を通過して、再度第１の送風機９に返送されるようになっている。
【０１０３】
さらに、図１２に示すように、第１の排気口９７の上面部には、収集装置５内部から排出される空気に混在したゴミ等が第１のダクト７に排出されないように、第１の排気口９７よりやや大きい面積を有する略矩形状の第１のフィルタ６３が設けられている。第１のフィルタ６３は、排気ボックス６２と収集装置５との間に、図中右側から水平方向に差し込まれるようになっている。また、排気ボックス６２と円筒部材６２ａとの間には、第２のフィルタ６４が設けられている。また、第２のフィルタ６４は３枚のフィルタ部材が重ねられて構成されており、本実施例では５，７，１０ｍｍの３枚のフィルタが重ねられている。尚、フィルタの枚数及び網目サイズは、これらに限らず変更可能である。
【０１０４】
次に、収集装置５の内部について図４、図１０及び図１１を参照して説明する。図４に示すように、第２のベルトコンベア４が接続される収集装置５の第１の壁面９１に設けられた受入口２４の下辺側近傍には、平板７８が回転軸部７９によって軸支されることにより、平板７８は回動可能となっている。また、収集装置５の内部には、地面と平行面を有し、かつ多数の開口を有する網状になった敷き板８４が設けられている。さらに、図１２に示すように、収集装置５の第１の壁面９１と第３の壁面９３との略中央部であって、第４の壁面９４側近傍には、敷き板８４から上方向に向かってガイド梁８０ａ，８０ｃが延設されている。一方、同様に、第５の壁面９５側近傍には、敷き板８４から上方向に向かってガイド梁８０ｂ，８０ｄが延設されている。そして、ガイド梁８０ａと８０ｃ、ガイド梁８０ｂと８０ｄとの間には、略矩形状の網目を有する３枚の仕切板８１，８２，８３が挟まれるように設けられている。そして仕切板８１，８２，８３は図１０に示すように、それぞれを上下方向に積み上げて、仕切板の高さを調節できるようになっている。
【０１０５】
以上のようにして、収集装置５の内部は、各部材によって第１の部屋７６、第２の部屋７７、第３の部屋７５に分割され、後述するようにゴミのサイズ及び重量によって、ゴミはそれぞれの部屋に蓄積されるようになっている。第１の部屋７６には、主に重くて、サイズの大きいゴミ（例えば、大きな木片等）が蓄積する。第２の部屋７７には、収集装置５の受入口２４より離れる位置まで飛ばされるゴミ、即ち軽くてサイズの小さいゴミ（例えば、紙くず、ビニール、廃プラ等）が蓄積される。そして、第３の部屋７５には、ゴミ等に付着した砂が落下して、蓄積されるようになっている。
【０１０６】
さらに、収集装置５内の背面部である第５の壁面９５には、第５の壁面９５から５０ｍｍ程度の間隔をあけて、第５の壁面９５と平行な面を有する背面板８７が設けられている。また、背面板８７は多数の開口を有する網状になっているため、収集装置５に吹き込まれた空気は、敷き板８４と第１の排気口９７だけでなく、背面板８７をも通過することができる。よって、ゴミ等が敷き板８４に蓄積した場合、敷き板８４の網目はゴミで塞がれてしまい、空気の循環が悪くなるが、背面板８７を通しても空気は抜けるので、連続して残土の選別処理を行うことが可能である。また、ここで背面板８７は第５の壁面９５から５０ｍｍの間隔をあけて設けられているが、この間隔はこれに限らず変更してもよい。
【０１０７】
さらに、収集装置５の第３の壁面９３の外側には、はしご部９０が接続されている。これは、分離金網１２の損傷や歪み等の確認、及び部材の交換等をする際に、はしご部９０を使って、収集装置５の第２の壁面９２上に登り、取り替え作業等がしやすいようになっている。
【０１０８】
次に、選別装置１の残土を選別処理するしくみについて説明する。最初に、分離金網１２から収集装置５までの残土の選別処理について説明する。まず、図１に示すように、傾斜調節フレーム１４に固定された分離金網１２の表面上部に、選別処理する残土を供給する。残土は、振動モータ１３により振動する分離金網１２上を流れ、網目より小さい粒径の土等は、分離金網１２の直下に設置された第１のベルトコンベア２上に落下し、傾斜調節フレーム１４の内側から外側に向かって搬送されて堆積する。一方、分離金網１２の網目より大きい粒径の残留物は、分離金網１２上を流れる。さらに残留物には重力加速度が加わるので、分離金網１２上を流れる残留物は、第２のベルトコンベア４に設置された落下吸収部２０に衝突し、第２のベルトコンベア４上に落下する。そして、残留物は、第２のベルトコンベア４によって、磁選機３の方向へ搬送されるが、第２のベルトコンベア４の搬送方向の下流側に設置された磁選機３により、磁性物（鉄片、釘、缶等）のみが除去され、第２のベルトコンベア４の端部下方に残留物が堆積するようになっている。ここに堆積する残留物は、主に、大きくて重い砕石物等のようなものである。
【０１０９】
さらに、分離金網１２より、第２のベルトコンベア４に落下して搬送される残留物は、第２のベルトコンベア４により残留物が搬送される方向とは、反対方向に、第１の送風機９により送風されるので、残留物中の軽いゴミ（例えば、ビニール、紙くず、廃プラ等）は、第２のベルトコンベア４の搬送方向とは反対方向に飛ばされる。また、第１の送風機９は、第１のカバー部８内部に向かって送風するので、送風によってゴミに付着した粉塵が舞い上がっても、第１のカバー部８で遮蔽されているので、周辺に粉塵が飛散することがない。そして、第１の送風機９によって吹き出された、残留物中のゴミは、第１のカバー部８内に沿って飛ばされ、収集装置５の受入口２４にまで到達する。
【０１１０】
次に、収集装置５において、ゴミ等が選別される流れについて説明する。まず、図１に示すように第２のベルトコンベア４との接続部分から送出されるゴミ等は、受入口２４から収集装置５内部に吹き込まれる。図１１に示すように、受入口２４に吹き込まれたゴミ等は、受入口２４の下部に設けられた平板７８の平面方向に沿って飛ばされる。この時に、重いゴミは、平板７８の直下に落下し、比較的軽いゴミ（例えばビニール、紙くず、廃プラ等）は受入口２４より遠くへ飛ばされる。よって重くてサイズの大きいゴミは（例えば木片等）は第１の部屋７６に、軽くて、サイズの小さいゴミは、第２の部屋７７に蓄積する。また、それぞれのゴミに付着した砂は、敷き板８４を通過して、第３の部屋７５に蓄積する。また、平板７８も多数の開口を有する網状になっているので、平板７８の網目からも砂が第３の部屋７５に落下するようになっている。
【０１１１】
そして、収集装置５に吹き込まれた空気は第１の排気口９７を通じて外部に排出され、その空気は第１のダクト７を通って、第１の送風機９に返送される。また、第１の排気口９７の第１のフィルタ６３と第２のフィルタ６４により、排出される空気中に混在するゴミはろ過されるようになっている。よって、第１のダクト７内にはゴミ等は排出されないので、第１の送風機９から送風される空気にはゴミ等は混在しない。
【０１１２】
さらに、残土の選別処理が継続されるに従って、収集装置５内にゴミ等が蓄積されていく。すると、収集装置５内部において、蓄積するゴミの占める割合が高くなるので、収集装置５内の空間（隙間）が狭くなる。しかし、収集装置５に送出される空気量（第１の送風機９の送風量）は変化しないため、収集装置５内における狭い空間内において空気の乱流が起こり、各部屋に蓄積したゴミが再度混在してしまう。そこで、収集装置５内にゴミが蓄積し始めたら、収集装置５の略中央部にある仕切板８１，８２，８３を上方向に積み上げる。例えば、図１０に示すように仕切板８１と８２とを積み上げて、収集装置５の第１の部屋７６と第２の部屋７７とを約３分の２の高さまで仕切る。これはおおよそゴミの蓄積する高さまで、積み上げるようにする。そうすると、第１の部屋７６と第２の部屋７７とにそれぞれ蓄積したゴミは、仕切板８１，８２及び８３の網目が仕切りとなり、それぞれのゴミ等が混在しないようにすることができる。
【０１１３】
また、収集装置５内部に送出されるゴミ等が蓄積され始めると、例えば第１の部屋７６にゴミ等の山が形成される。このゴミ等でできた山が大きな壁となってしまい、受入口２４から吹き込まれるゴミ等が、山に衝突してそこに蓄積してしまう。そこで、ゴミ等が蓄積されるに従って、平板７８の面を上方向に調節し、一カ所にゴミの山ができないようにする。よって、第１の部屋７６、第２の部屋７７において、均等にゴミが蓄積されるので、収集装置５の選別処理能力が落ちることなく残土の選別処理が継続できる。
【０１１４】
また、収集装置５にゴミ等が蓄積されていくと、ゴミ等が敷き板８４の網目を塞いでしまい、収集装置５の通気が悪くなるが、背面板８７が多数の開口を有する網状となっているので、背面板８７からも空気が抜け、収集装置５内部の通気は維持される。よって、選別処理を連続して行っても、処理能力が落ちることがない。
【０１１５】
次に、選別装置１における収集装置５の変形例である収集装置５００について、図１３を参照して説明する。図１３は収集装置５００の左右扉部６１０，６００をそれぞれ開いた時の正面図である。まず、収集装置５００の基本構造について説明する。収集装置５００の構造は、収集装置５の構造と基本的に同じである。収集装置５００は、図１３に示すように、略直方体状の箱であって、側面を形成する第１の壁面９１０、上面部を形成する第２の壁面９２０、第１の壁面９１０とは反対側に位置する第３の壁面９３０、前面部を形成する第４の壁面（図示外）及び背面部を形成する第５の壁面（図示外）にて構成されている。
【０１１６】
そして、収集装置５００の第１の壁面９１０には受入口２４０が設けられ、前面部の第４の壁面には、左扉部６１０、右扉部６００が設けられており、それぞれが開閉可能となっている。また、左右扉部６１０，６００の下部には、蓋部６５０が設けられ、収集装置５００から着脱可能となっている。収集装置５００の内部には、受入口２４０の下辺近傍に設けられ、回転軸部７９０に軸支される平板７８０と、地面と平行であって、多数の開口を有する網状の敷き板８４０が設けられている。また、敷き板８４０から上方に積み上げ可能な多数の開口を有する網状の仕切板８１０，８２０，８３０が、４本のガイド梁８００ａ，８００ｃ（他の２本は図示外）によって挟まれている。また、背面部の第５の壁面側には、第５の壁面とは所定距離（本実施例では５０ｍｍ）離間して、多数の開口を有する網状の背面板８７０が設けられている。よって、収集装置５００もまた、第１の壁面９１０側の第１の部屋７６０と、第３の壁面９３０側の第２の部屋７７０と、敷き板８４０より下部側の第３の部屋（図示外）とに３つに分割される。
【０１１７】
そして、収集装置５００の上面部である第２の壁面９２０には、略矩形上の第１の排気口（図示外）が設けられ、その上部には、略直方体状の箱である排気ボックス６２０が、第１のフィルタ６３０を挟んで固定されている。さらに、排気ボックス６２０には円筒部材（図示外）が、排気ボックス６２０の第５の壁面側の側面に接続されており、円筒に囲まれる排気ボックス６２０の側面は切り抜かれている。また、円筒部材には、ホース状の第１のダクト（図示外）が接続され、第１のダクトの円筒部材と接続する一端部と反対側の他端部は、第１の送風機（図示外）に接続されている。尚、排気ボックス６２０と円筒部材との接続部分には、３枚のフィルタからなる第２のフィルタ６４０が設置されている。
【０１１８】
以上のような、収集装置５の構造を基本構造に備えた収集装置５００において、次に、収集装置５に付加された収集装置５００の構成部材について説明する。まず、第１の壁面９１０と対向する第３の壁面９３０には、略矩形状の廃棄口６２３が設けられている。廃棄口６２３の幅は、後述する第３のベルトコンベア２００の幅とほぼ同じになっている。また、廃棄口６２３の下辺は、第３の壁面９３０の敷き板８４０と接続する部分から１５ｃｍ上方に位置している。そして、廃棄口６２３から収集装置５００の内側の略中央部（仕切板８１０，８２０，８３０の近傍）に向かって、第３のベルトコンベア２００が渡設されている。この第３のベルトコンベア２００の略中央部底面は、廃棄口６２３の下辺上に載置され、Ｕ字形固定具２０１で第３のベルトコンベア２００の底面を廃棄口６２３の下辺上に固定している。よって、第３のベルトコンベア２００は図中右上がりに傾斜し、かつ廃棄口６２３から突出して設置されている。
【０１１９】
また、第３のベルトコンベア２００の収集装置５００内に挿入されている部分には、ホッパー部２０２が設けられている。ホッパー部２０２は、３枚のホッパー片から構成され、第３のベルトコンベア２００の長さ方向の両端側にはそれぞれ略矩形状のホッパー片２０２ａが接続されている。また、第３のベルトコンベア２００の長さ方向に垂直であって、収集装置５００内部に位置する一端側にも、１枚のホッパー片２０２ｂが接続されている。第３のベルトコンベア２００に接続される３枚のホッパー片は略長方形状のゴム板からなる部材である。それぞれのホッパー片の第３のベルトコンベア２００に接続される一端側とは反対側の他端側は、上方向に向かって第３のベルトコンベア２００のベルト面に対して反対側に傾斜しており、収集装置５００の前面部である第４の壁面と、背面部である第５の壁面とにそれぞれ接している。また、ホッパー片２０２ｂの第３のベルトコンベア２００と接続する一端側と反対側の他端側は、仕切板８３０上部の近傍に位置するようになっている。こうして、第２の部屋７７０に飛散するゴミは、ホッパー部２０２により、すべて第３のベルトコンベア２００上に落下するようになっている。
【０１２０】
また、廃棄口６２３から突出する第３のベルトコンベア２００の長さの略半分までを覆う第２のカバー部６２２が設けられている。第２のカバー部６２２のカバー固定部６２２ａは、縦に連接する略矩形状の３枚のカバー固定片が、それぞれの連接する辺において、内側に略直角方向に折り曲げられて構成される略コの字形形状の部材となっている。カバー固定部６２２ａは連接する辺に囲まれる内側を地面に向けて、収集装置５００の第３の壁面９３０に垂直に接続されている。さらに、カバー固定部６２２ａの地面方向に向かう両端側からは、２枚のゴム片６２２ｂ（１枚は図示外）が、第３のベルトコンベア２００上の長さ方向両端側に向かって、垂れ下がっている。また、カバー固定部６２２ａの図中右側に開く開口部は略矩形状の平面板６２２ｃによって塞がれている。さらに、カバー固定部６２２ａの上面部には略矩形状の第２の排気口（図示外）が設けられており、排気口の上部には排気ボックス６２１が第１のフィルタ６３１を挟んで固定されている。さらに、排気ボックス６２１には、後述する第２のダクト７００が接続するための円筒部材（図示外）が、排気ボックス６２１の側面に接続されている。
【０１２１】
さらに、収集装置５００の第１の壁面９１０において、受入口２４０の下部には、略矩形状の送風口２４２が設けられている。また、送風口２４２を通じて、収集装置５００の外側から内側にゴミや異物等が流入しないように、送風口２４２には、第３のフィルタ２４３が固定されている。第３のフィルタ２４３は、送風口２４２の面積よりもやや大きくなっており、送風口２４２はすべて第３のフィルタ２４３で覆われている。さらに、収集装置５００の外側であって、送風口２４２の下辺近傍には、送風機架台６０８ａが接続されており、送風機架台６０８ａには、第２の送風機６０８が、所定角度をもって固定されている。具体的には、第２の送風機６０８が、送風口２４２から収集装置５００内部に向かって送風する際に、平板７８０の裏面側に向かって送風するように第２の送風機６０８が斜め上方に向かって固定されている。
【０１２２】
また、収集装置５００の第２の壁面９２０の略中央付近には、収集装置５００内に霧状の水を散布する散水装置６５１が設置されており、散水装置６５１は、２つの噴霧ノズル６５１ａ，６５１ｂを保持している。噴霧ノズル６５１ａは収集装置５００の第１の部屋７６０に、噴霧ノズル６５１ｂは収集装置５００の第２の部屋７７０にそれぞれ向けられている。尚、散水装置６５１は、収集装置５００内全体に噴霧できるものとする。
【０１２３】
尚、収集装置５００で選別処理を行う際に、収集装置５００内の平板７８０の角度は、水平面よりもやや上方に固定する。これは、受入口２４０から吹き込まれるゴミを、なるべく第２の部屋７７０まで到達させて、第３のベルトコンベア２００によって外部に搬送するためである。また、大きくて重いゴミ（例えば、木片等）は、平板７８０より落下して、収集装置５００内に蓄積する。尚、第１の部屋７６０に大きなゴミが大量に蓄積した場合は、３枚の仕切板の内２枚を積み上げて、第１の部屋７６０と第２の部屋７７０とを仕切り、第１の部屋７６０に蓄積するゴミと、第３のベルトコンベア２００に搬送されるゴミとが混在しないようにする。
【０１２４】
次に、収集装置５００のゴミを選別処理する流れについて、図１３を参照して説明する。尚、収集装置５００は、収集装置５が有する構造、機能はすべて備えているものとする。まず、収集装置５００の受入口２４０から、ゴミが吹き込まれる。さらに、吹き込まれたゴミは多数の開口を有する網状の平板７８０上を通過する。ここで、第２の送風機６０８が送風口２４２を通じて、平板７８０の裏面側に向かって送風するので、軽いゴミは平板７８０の面の略延長線上に沿って、第３のベルトコンベア２００に向かって飛ばされる。一方、大きくて重いゴミは、平板７８０の下方付近にすぐに落下して蓄積する。また、ゴミに付着した砂等は、多数の開口を有する網状の敷き板８４０の下方に落下して、蓄積するようになっている。
【０１２５】
そして、第３のベルトコンベア２００に向かって飛んだゴミは、ホッパー部２０２により第３のベルトコンベア２００に誘導され、落下する。さらに、第３のベルトコンベア２００に落下したゴミは、第３の壁面９３０に向かって搬送され、廃棄口６２３を通過して、収集装置５００の外側に搬送される。この時、廃棄口６２３から外側に向かって、内部空気が勢いよく排出されるので、ゴミに付着する粉塵が舞い上がる。しかし、第３のベルトコンベア２００の外側は、第２のカバー部６２２によって覆われているので、周囲に粉塵が飛散しない。さらに、第２のカバー部６２２内の空気は、第２の排気口（図示外）から、排気ボックス６２１及び第２のダクト７００を通過して、第２の送風機６０８に返送されるので、第２のカバー部６２２内の空気は吸引されるようになっている。よって、第２のカバー部６２２の排気口から、第２のカバー部６２２内の空気や粉塵が吸引されることになる。吸引された粉塵は、第２のダクト７００を通じて、第２の送風機６０８により再度第２の収集装置５００に返送されるようになっている。
【０１２６】
そして、第２のカバー部６２２の内部を通過して、搬送される第３のベルトコンベア２００上のゴミからは、粉塵が飛散することがなく、搬送されたゴミは、第３のベルトコンベア２００の搬送方向の先端側から直下方向に落下し、堆積するようになっている。ここに堆積するゴミは、主にビニール、紙くず、廃プラ類等である。
【０１２７】
また、選別処理が長時間継続すると、収集装置５００内に粉塵が舞い上がり、多数の開口を有する網状の敷き板８４０及び多数の開口を有する網状の背面板の網目に砂やゴミの目詰まりが起きる。すると、収集装置５００内の空気の流れが悪くなり、選別処理がうまく行われなくなる。そこで、収集装置５００の上面部を構成する第２の壁面９２０の略中央部には、散水装置６５１が設けられており、噴霧ノズル６５１ａは、第１の部屋７６０全体、噴霧ノズル６５１ｂは第２の部屋７７０全体に向かって霧状の水を散布するようになっている。この散水装置６５１を運転させると、収集装置５００内部全体に霧状の水が散布される。すると、収集装置５００内部の粉塵が水分を吸収し、粉塵の重量が重くなり、下方向へ落下して粉塵を抑えることができる。また、敷き板８４０、背面板８７０等にできる目詰まりも解消することができる。
【０１２８】
尚、本発明は上記の実施の形態に限定されるものではなく、各種の変形が可能である。例えば、収集装置５の仕切板８１〜８３は３枚だったが、何枚でもよく、紐等で各々固定し、収集装置５の外部より各固定部を引き上げることにより、それぞれが垂直に連接されるようにして、仕切板の高さを調節できるようにしてもよい。また、ベルトコンベアの大きさは残土の処理量などに応じて、大型のベルトコンベアを用いてもよい。その際には、送風機をベルトコンベア上に数台取付け、処理能力を向上させるとよい。また、本実施例で説明した、平板、敷き板、仕切板、背面板は１０ｍｍの網径を有した金網となっているが、網径は選別する対象物のサイズに応じて変更してもよく、それぞれの網径は互いに違ってもよい。また、収集装置５は底面を有しない略直方体状の箱であるが、底面を設けてもよく、底面に蓄積する砂を自由に取り出せるようにしてもよい。
【０１２９】
また、分離金網１２は、傾斜調節フレーム１４の伸長梁３４ａ，３４ｂを上方に伸長させ、長辺梁３１ａ，長辺梁３１ｂにそれぞれ設けられた嵌合穴４１ａ，４１ｂ及び４１ｃの何れかを調節ピン４１で固定することにより、３段階に分離金網１２を傾斜させていたが、例えば、傾斜調節フレーム１４の長辺梁３１ａ，長辺梁３１ｂの内部にシリンダを各々設け、コンプレッサ等による空気圧で伸長梁３４ａ，３４ｂを上方に押し上げて、分離金網１２の傾斜角度を自由に調節するようにしてもよい。
【０１３０】
また、上述の実施例では、収集装置５の受入口２４は、第２のベルトコンベア４の端部の側面に接続されており、第１の送風機９から流れる空気は、第１のカバー部８により直角に曲げられ、収集装置５の受入口２４に吹き込まれるようになっているが、第２のベルトコンベア４の長さ方向の延長上に収集装置５の受入口２４が配置されるように、収集装置５を配置してもよい。この時、第２のベルトコンベア４と収集装置５とは、互いに略直線上に配置する。収集装置５の設置場所は選別装置１の設置する周辺環境に応じて、自由に変更してよい。
【０１３１】
【発明の効果】
以上、詳述したとおり、請求項１に記載の選別装置では、分離金網の開口から落下せずに分離金網上を流れた残留物の搬送方向の一方向とは反対側に送風する第１の送風手段を備えているので、残留物中のゴミ等の軽量物を分離選別することができる。また、第１のカバーが設けられているので、第１の送風手段の送風により粉塵が周囲に飛散することがないので、周囲の環境を汚染することなく、残土の分離選別処理をすることができる。
【０１３２】
また、請求項２に記載の選別装置では、請求項１に記載の発明の効果に加え、収集手段の受入口近傍に設けられた平板は、収集手段内に溜まるゴミの蓄積度合いに従って、ゴミ等が吹き込まれる方向を調節することができるので、収集手段内に均一に、ゴミ等を蓄積することができる。
【０１３３】
また、請求項３に記載の選別装置では、請求項２に記載の発明の効果に加え、平板の一端側は、受入口の下辺近傍に軸支され、回動可能となっているので、自由にゴミ等が吹き込まれる方向を調節することができる。
【０１３４】
また、請求項４に記載の選別装置では、請求項２又は３に記載の発明の効果に加え、収集手段の受入口から吹き込まれたゴミ等に付着する砂は、平板の多数の開口を通して下に落下させることができる。よって、ゴミ等から砂を早く分離させることができる。
【０１３５】
また、請求項５に記載の選別装置では、請求項２乃至４の何れかに記載の発明の効果に加え、収集手段の上面部に設けられた第１の排気口から、収集手段内の空気が排出されるので、収集手段内に継続してゴミ等を吹き込むことができるので、連続的に選別処理を行うことができる。
【０１３６】
また、請求項６に記載の選別装置では、請求項５に記載の発明の効果に加え、排気口には第１の送風手段に接続する第１のダクトが設けられているので、収集手段内の空気と第１の搬送手段の第１のカバーが覆われている部分の内部の空気は常に循環しているので、周囲に粉塵を飛散させることなく、残土の選別処理をすることができる。
【０１３７】
また、請求項７に記載の選別装置では、請求項５又は６に記載の発明の効果に加え、第１の排気口にはフィルタが設けられているので、収集手段内部に吹き込まれたゴミ等が風によって舞い、収集手段外部に排出されるのを防止することができる。また、第１のダクト内にゴミが蓄積しないので、第１のダクトがゴミによって目詰まりを起こすことがなく、連続して残土の選別処理をすることができる。
【０１３８】
また、請求項８に記載の選別装置では、請求項１乃至７の何れかに記載の発明の効果に加え、敷き板は多数の開口を有しているので、収集手段内部に吹き込まれたゴミ等に付着した砂は、多数開口を通過して下方に落下し、砂のみを敷き板の下に蓄積させて、単独で砂を取り出すことができる。
【０１３９】
また、請求項９に記載の選別装置では、請求項２乃至８の何れかに記載の発明の効果に加え、収集手段内部の中間には、上下方向に長さを調節できる多数の開口を有する仕切板が設けられているので、収集手段内部にゴミが蓄積するに従って、内部を仕切り、収集手段内部の所定位置にそれぞれ蓄積したゴミ等が、空気の乱流によって再度混在しないようにすることができる。
【０１４０】
また、請求項１０に記載の選別装置では、請求項９に記載の発明の効果に加え、複数枚からなる仕切板の開口をゴミは通過することができないので、収集手段内の略中央において、仕切板で仕切ることにより、収集手段内に重量やサイズによって蓄積する部屋が異なるそれぞれのゴミが、再度混在しないようにすることができる。
【０１４１】
また、請求項１１に記載の選別装置では、請求項１乃至１０の何れかに記載の発明の効果に加え、収集手段の前面部には、観音開き式の２枚の扉が設けられているので、それぞれの扉をあけることにより、収集手段内に溜まったゴミを自由に取り出すことができる。
【０１４２】
また、請求項１２に記載の選別装置では、請求項１乃至１１の何れかに記載の発明の効果に加え、収集手段内部にゴミ等が大量に蓄積して、敷き板の開口がゴミ等で塞がれても、収集手段内の空気は背面板の多数の開口を通過し、収集手段内の通気が保持されるので、長時間連続して残土の選別処理を行うことができる。
【０１４３】
また、請求項１３に記載の選別装置では、請求項１乃至１２の何れかに記載の発明の効果に加え、収集手段内にゴミが吹き込まれると同時に、ゴミを収集手段の外部へ搬送することができるので、収集手段内に蓄積したゴミを手作業で収集手段内から取り出す手間を省くことができ、また連続的に作業を行うことができるので、残土の選別処理時間を大幅に削減することができる。
【０１４４】
また、請求項１４に記載の選別装置では、請求項１３に記載の発明の効果に加え、収集手段内に設けられた第２の搬送手段は廃棄口から外側に向かって突出し、収集手段より離れた位置にゴミを堆積することができるので、収集手段を傷つけることなく選別処理を行うことができる。
【０１４５】
また、請求項１５に記載の選別装置では、請求項１４に記載の発明の効果に加え、第２の搬送手段によって、収集手段の外部に搬送されるゴミに付着する粉塵を、第２の収集手段の外側の部分に設けられた第２のカバーで覆うことにより、周辺に飛散するのを防止できるので、衛生的に選別作業を行うことができる。
【０１４６】
また、請求項１６に記載の選別装置では、請求項１５に記載の発明の効果に加え、収集手段の廃棄口から吹き出される空気は、第２のカバー内の第２の排気口を通じて外部に排出されるので、第２のカバー内から空気が吹き出し、粉塵が飛散することを防ぐことができる。
【０１４７】
また、請求項１７に記載の選別装置では、請求項１６に記載の発明の効果に加え、第２の排気口からはフィルタによって、外部に排出される空気に舞うゴミをろ過することができるので、廃棄口から搬送されるゴミをすべて、第２の搬送手段に落とすことができる。また、第２の排気口からゴミが排出されることがないので、周辺環境を汚染させることがない。
【０１４８】
また、請求項１８に記載の選別装置では、請求項１乃至１７の何れかに記載の発明の効果に加え、収集手段内への送風量を増やすことにより、収集手段内のゴミの飛散速度が速くなり、処理時間を短縮することができる。
【０１４９】
また、請求項１９に記載の選別装置では、請求項１８に記載の発明の効果に加え、収集手段内の受入口付近にゴミが大量に蓄積してしまった時に、第２の送風手段により、蓄積したゴミを第２の搬送手段まで飛散させることができるので、収集手段内にゴミが大量に蓄積することなく、連続的に選別処理をすることができる。
【０１５０】
また、請求項２０に記載の選別装置では、請求項１９に記載の発明の効果に加え、収集手段の送風口からは、外部からのゴミが侵入するのを防ぐことができる。
【０１５１】
また、請求項２１に記載の選別装置では、請求項１８乃至２０の何れかに記載の発明の効果に加え、収集手段内の受入口から吹き込まれるゴミは、平板の裏面からさらに送風されることにより、受入口付近にゴミが蓄積することなく、第２の搬送手段まで飛散させることができる。よって、収集装置内にゴミが大量に蓄積することなく、連続して残土の選別処理を行うことができる。
【０１５２】
また、請求項２２に記載の選別装置では、請求項１６乃至２１の何れかに記載の発明の効果に加え、第２の送風手段と第２のダクトによってつながれた第２のカバー内の第２の排気口は、第２の送風手段により、第２の排気口から、空気が吸引されると同時に、第２のカバー内の粉塵も吸引されるので、収集手段から第２の搬送手段によって外部に搬送されるゴミからは粉塵が舞い上がることがなく、衛生的に残土の選別処理を行うことができる。
【０１５３】
また、請求項２３に記載の選別装置では、請求項１乃至２２の何れかに記載の発明の効果に加え、収集手段内に舞い上がる粉塵に水分を持たせ、粉塵の重量を重くして、下方に落下させて粉塵の飛散を抑えることができる。また、収集手段内の平板、敷き板、背面板等が砂等によって目詰まりを起こしても、散水することにより目詰まりを解消することもできるので、長時間継続して残土の選別処理を行うことができる。
【０１５４】
また、請求項２４に記載の選別装置では、振動モータの振動は、振動板を通じて、分離金網に伝わり、分離金網上の残土を振動させるので、ブロック状に固まった土等はほぐされて、分離金網の目を落下させることができる。また、分離金網の網目は振動しているので、網目に土等による目詰まりが起きにくく、分離金網の選別処理能力が落ちることがない。
【０１５５】
また、請求項２５に記載の選別装置では、請求項２４に記載の発明の効果に加え、分離金網に設けられた遮蔽板は、分離金網上の大きな残留物が第１のカバー又は、第１の搬送手段に落下するのを防止できるので、第１のカバー又は、第１の搬送手段が故障や損傷を最小限に抑えることができる。
【０１５６】
また、請求項２６に記載の選別装置では、請求項２５に記載の発明の効果に加え、遮蔽板の分離金網の残土が流れる方向に向かって傾斜する方向の下流側に、排出口が設けられているので、分離金網上の大きな残留物を、排出口から分離金網の外部に排出することができる。
【０１５７】
また、請求項２７に記載の選別装置では、請求項２６に記載の発明の効果に加え、排出口には案内板が設けられているので、遮蔽板によって取り除かれた大きな残留物は排出口を通り、案内板を通して分離金網よりやや離れた場所に排出することができる。
【０１５８】
また、請求項２８に記載の選別装置では、請求項２４乃至２７の何れかに記載の発明の効果に加え、振動板は分離金網上において、振動板と桟との間隔より、振動板と分離金網の振動板に近い一端側との間隔の方が広くなるように固定されるので、振動モータから伝わる振動により、分離金網の桟、分離金網等にかかる負荷を最小限にすることができるので、分離金網等の各部品を長持ちさせることができる。
【図面の簡単な説明】
【図１】図１は選別装置１の斜視図である。
【図２】図２は選別装置１の正面図である。
【図３】図３は選別装置１の背面図である。
【図４】図４は第１のカバー部８を外した選別装置１の斜視図である。
【図５】図５は傾斜調節フレーム１４の斜視図である。
【図６】図６は分離金網１２と第１のベルトコンベア２を取付けた傾斜調節フレーム１４の斜視図である。
【図７】図７は第１のカバー部８を外した、第２のベルトコンベア４上の構成を示した構成図である。
【図８】図８は第１のカバー部８の斜視図である。
【図９】図９は収集装置５の斜視図である。
【図１０】図１０は収集装置５の正面図である。
【図１１】図１１は左右扉部６０，６１を開いた収集装置５の正面図である。
【図１２】図１２は収集装置５の平面図である。
【図１３】図１３は左右扉部６００，６１０を開いた収集装置５００の正面図である。
【符号の説明】
１      選別装置
２      第１のベルトコンベア
３      磁選機
４      第２のベルトコンベア
５      収集装置
７      第１のダクト
８      第１のカバー部
９      第１の送風機
１０    遮蔽板
１１    振動板
１２    分離金網
１３    振動モータ
１４    傾斜調節フレーム
１５    磁選機架台
５０    落下物シュート
５２    防振ゴム
７８    平板
８１，８２，８３    仕切板
８４    敷き板
８７    背面板
【図１】
2004275861.tif 000003
【図２】
2004275861.tif 000004
【図３】
2004275861.tif 000005
【図４】
2004275861.tif 000006
【図５】
2004275861.tif 000007
【図６】
2004275861.tif 000008
【図７】
2004275861.tif 000009
【図８】
2004275861.tif 000010
【図９】
2004275861.tif 000011
【図１０】
2004275861.tif 000012
【図１１】
2004275861.tif 000013
【図１２】
2004275861.tif 000014
【図１３】
2004275861.tif 000015
【手続補正書】
【提出日】平成15年12月8日(2003.12.8)
【手続補正１】
【補正対象書類名】明細書
【補正対象項目名】全文
【補正方法】変更
【補正の内容】
【特許請求の範囲】
【請求項１】残土を選別する選別装置であって、
残土を選別するために、水平面に対して所定角度で傾斜する分離金網と、
当該分離金網の残土が流れる方向の下流側に設けられ、前記分離金網の目から落下せずに前記分離金網上を流れた残留物を一方向へ搬送する第１の搬送手段と、
当該第１の搬送手段を覆う第１のカバーと、
当該第１のカバー内に、前記一方向とは反対方向に送風する第１の送風手段と、
当該第１の送風手段によって、前記一方向とは反対方向に送出されるゴミを収集する収集手段と
を備えたことを特徴とする選別装置。
【請求項２】前記収集手段は、略直方体状の箱であって、
前記第１の搬送手段側の前記収集手段の側面には、前記第１の送風手段によって送出される前記ゴミを受け入れる受入口と、
前記収集手段内部の前記受入口の近傍に設けられ、前記受入口から前記ゴミが吹き込まれる方向を調節する略矩形状の平板と
を備えたことを特徴とする請求項１に記載の選別装置。
【請求項３】前記収集手段には前記収集手段内部に蓄積するゴミを外部に搬送するための第２の搬送手段が設けられていることを特徴とする請求項１又は２に記載の選別装置。
【請求項４】前記収集手段の前記受入口が設けられている側面と対向する側面には、前記収集手段内部のゴミを外部に排出するための廃棄口が設けられ、
当該廃棄口からは、前記第２の搬送手段が、前記収集手段内部から外部に向かって突出していることを特徴とする請求項３に記載の選別装置。
【請求項５】前記収集手段には、前記収集手段内に空気を送風するための第２の送風手段が設けられていることを特徴とする請求項１乃至４の何れかに記載の選別装置。
【請求項６】残土を選別する選別装置であって、
残土を選別するために、水平面に対して所定角度で傾斜する分離金網と、
当該分離金網の残土が流れる方向の上流側で、前記分離金網の左右何れかの一端側近傍において、前記分離金網を表面及び裏面から挟み込むように前記分離金網に固定された一対の振動板と、
当該振動板の裏面に設けられ、前記分離金網を振動させる振動モータと
を備えたことを特徴とする選別装置。
【請求項７】前記分離金網において、前記振動板に近い前記一端側より、前記分離金網の残土が流れる方向の下流側に向かって傾斜するように、前記一端側と反対側の他端側とに渡設され、かつ前記分離金網とは所定距離をあけて設けられ、前記分離金網上を落下する大きな残留物を前記分離金網の外部に排出するための遮蔽板を備えたことを特徴とする請求項６に記載の選別装置。
【請求項８】前記遮蔽板の、前記分離金網の残土が流れる方向に向かって傾斜する方向の下流側には、大きな残留物を前記分離金網より外部に排出するための排出口が設けられていることを特徴とする請求項７に記載の選別装置。
【請求項９】前記排出口には、前記遮蔽板によって取り除かれる大きな残留物を前記分離金網の外部に排出するための案内板が設けられていることを特徴とする請求項８に記載の選別装置。
【請求項１０】前記分離金網には、前記分離金網の残土が流れる方向と平行に前記分離金網を支持する桟が設けられ、
前記振動板と前記桟との間隔より、前記分離金網の前記振動板に近い前記一端側と前記振動板との間隔の方が広くなっていることを特徴とする請求項６至９の何れかに記載の選別装置。
【発明の詳細な説明】
【０００１】
【発明の属する技術分野】
本発明は、残土、砕石の選別を行う選別装置に関する。
【０００２】
【従来の技術】
従来、工事現場及び採掘現場等で排出される残土、砕石混合物等をリサイクルして再度使用するために、残土及び砕石混合物の選別装置が利用されている。選別装置は、土・砂・木・紙・繊維・廃プラ類・瓦・がれき類等を選別することができる。この選別装置として、例えば、網目サイズの異なる２枚の分離金網に残土及び砕石混合物等を通過させ、サイズの異なる残土、砕石混合物等を選別する装置等が知られている（例えば、特許文献１参照）。そして２枚の分離金網で選別し、網目から落下した土等を、その落下地点に設置したコンベアによって、所定の場所に搬送し、堆積させるようにしていた。一方、分離金網の網目を落下せずに、分離金網上を流れた砕石物等も、コンベアによって所定場所に搬送し、堆積させるようにしていた。
【０００３】
【特許文献１】
特許第３２９４７８６号公報
【０００４】
【発明が解決しようとする課題】
しかしながら、上述のような選別装置では、分離金網の網目を落下せずに、分離金網上を流れた砕石物等は、コンベアに落下して所定場所に搬送される際に、微少な粉塵等が強風で舞い上がり、周囲に飛散することにより周辺環境を汚染するという問題点があった。また、分離金網上の網目を落下せずに、分離金網上を流れた砕石物等には、ゴミやそれに付着する砂等も混在しており、選別機能にも問題点があった。
【０００５】
本発明は、上述の問題点を解決するためになされたものであり、周辺に粉塵が飛散することなく、残土、砕石混合物を容易に選別できる選別装置を提供することを目的とする。
【０００６】
【課題を解決するための手段】
上記目的を達成するために、請求項１に記載の選別装置は、残土を選別する選別装置であって、残土を選別するために、水平面に対して所定角度で傾斜する分離金網と、当該分離金網の残土が流れる方向の下流側に設けられ、前記分離金網の目から落下せずに前記分離金網上を流れた残留物を一方向へ搬送する第１の搬送手段と、当該第１の搬送手段を覆う第１のカバーと、当該第１のカバー内に、前記一方向とは反対方向に送風する第１の送風手段と、当該第１の送風手段によって、前記一方向とは反対方向に送出されるゴミを収集する収集手段とを備えたことを特徴とする構成となっている。
【０００７】
この構成の選別装置では、第１の送風手段は、分離金網を落下しなかった残留物が第１の搬送手段にて搬送される方向とは反対の方向に送風するので、搬送される残留物中からゴミ等の軽量物を吹き飛ばして分離させることができる。また、第１の搬送手段は第１のカバーで覆われているので、周辺に粉塵が飛散することなく残土の選別処理ができる。
【０００８】
請求項２に記載の選別装置は、請求項１に記載の発明の構成に加え、前記収集手段は、略直方体状の箱であって、前記第１の搬送手段側の前記収集手段の側面には、前記第１の送風手段によって送出される前記ゴミを受け入れる受入口と、前記収集手段内部の前記受入口の近傍に設けられ、前記受入口から前記ゴミが吹き込まれる方向を調節する略矩形状の平板とを備えたことを特徴とする構成となっている。
【０００９】
この構成の選別装置では、請求項１に記載の発明の作用に加え、略直方体状の箱である収集手段が、第１の送風手段によって送出されるゴミを受入口より収集することができる。また、受入口下辺近傍に設けられた平板は、収集手段内にゴミが吹き込まれる方向を調節できるので、収集手段内に均一にゴミを蓄積することができる。
【００１０】
請求項３に記載の選別装置は、請求項１又は２に記載の発明の構成に加え、前記収集手段には前記収集手段内部に蓄積するゴミを外部に搬送するための第２の搬送手段が設けられていることを特徴とする構成となっている。
【００１１】
この構成の選別装置では、請求項１又は２に記載の発明の作用に加え、第２の搬送手段は、収集手段内に蓄積したゴミを外部に搬送することができるので、収集手段内に蓄積するゴミを手作業で取り出さなくても、連続的にゴミを収集手段の外部まで搬送することができる。
【００１２】
請求項４に記載の選別装置は、請求項３に記載の発明の構成に加え、前記収集手段の前記受入口が設けられている側面と対向する側面には、前記収集手段内部のゴミを外部に排出するための廃棄口が設けられ、当該廃棄口からは、前記第２の搬送手段が、前記収集手段内部から外部に向かって突出していることを特徴とする構成となっている。
【００１３】
この構成の選別装置では、請求項３に記載の発明の作用に加え、第２の搬送手段は、収集手段の内部から延設され、廃棄口から収集手段の外部に向かって突出しているので、収集手段から離れた位置にゴミを堆積させることができる。
【００１４】
請求項５に記載の選別装置は、請求項１乃至４の何れかに記載の発明の構成に加え、前記収集手段には、前記収集手段内に空気を送風するための第２の送風手段が設けられていることを特徴とする構成となっている。
【００１５】
この構成の選別装置では、請求項１乃至４の何れかに記載の発明の作用に加え、第１の送風手段に加えて、第２の送風手段からも収集手段内に空気が送風されるので、収集手段内に吹き込まれたゴミはさらに早く選別され、ゴミの選別処理能力が向上する。
【００１６】
請求項６に記載の選別装置は、残土を選別する選別装置であって、残土を選別するために、水平面に対して所定角度で傾斜する分離金網と、当該分離金網の残土が流れる方向の上流側で、前記分離金網の左右何れかの一端側近傍において、前記分離金網を表面及び裏面から挟み込むように前記分離金網に固定された一対の振動板と、当該振動板の裏面に設けられ、前記分離金網を振動させる振動モータとを備えたことを特徴とする構成となっている。
【００１７】
この構成の選別装置では、分離金網の裏側の所定位置には、振動板と振動モータが設けられており、この振動モータによって振動板が振動して、分離金網が振動することで、分離金網上の残土が振動し、ほぐされるので、残土が分離金網の開口に詰まることなく残土の選別処理をすることができる。尚、分離金網を一対の振動板で挟んでいるので、振動モータの振動で分離金網が破損することがない。
【００１８】
請求項７に記載の選別装置は、請求項６に記載の発明の構成に加え、前記分離金網において、前記振動板に近い前記一端側より、前記分離金網の残土が流れる方向の下流側に向かって傾斜するように、前記一端側と反対側の他端側とに渡設され、かつ前記分離金網とは所定距離をあけて設けられ、前記分離金網上を落下する大きな残留物を前記分離金網の外部に排出するための遮蔽板を備えたことを特徴とする構成となっている。
【００１９】
この構成の選別装置では、請求項６に記載の発明の作用に加え、分離金網に設けられた遮蔽板は、分離金網上を落下する大きな残留物を分離金網の外部に排出することができるので、分離金網上を落下する大きな残留物が、第１のカバー部を直撃して破損することを防止することができる。
【００２０】
請求項８に記載の選別装置は、請求項７に記載の発明の構成に加え、前記遮蔽板の、前記分離金網の残土が流れる方向に向かって傾斜する方向の下流側には、大きな残留物を前記分離金網より外部に排出するための排出口が設けられていることを特徴とする構成となっている。
【００２１】
この構成の選別装置では、請求項７に記載の発明の作用に加え、遮蔽板の前記分離金網の残土が流れる方向に向かって傾斜する方向の下流側には排出口が設けられているので、遮蔽板によって取り除かれた大きな残留物は第１の搬送手段に落下することなく、分離金網の外部へ排出させることができる。
【００２２】
請求項９に記載の選別装置は、請求項８に記載の発明の構成に加え、前記排出口には、前記遮蔽板によって取り除かれる大きな残留物を前記分離金網の外部に排出するための案内板が設けられていることを特徴とする構成となっている。
【００２３】
この構成の選別装置では、請求項８に記載の発明の作用に加え、前記排出口には、案内板が設けられているので、遮蔽板によって取り除かれる大きな残留物は、分離金網の排出口からすぐに落下することなく、分離金網よりやや離れた箇所に落下させることができる。
【００２４】
請求項１０に記載の選別装置は、請求項６乃至９の何れかに記載の発明の構成に加え、前記分離金網には、前記分離金網の残土が流れる方向と平行に前記分離金網を支持する桟が設けられ、前記振動板と前記桟との間隔より、前記分離金網の前記振動板に近い前記一端側と前記振動板との間隔の方が広くなっていることを特徴とする構成となっている。
【００２５】
この構成の選別装置では、請求項６乃至９の何れかに記載の発明の作用に加え、分離金網の略中央には、残土の流れる方向と平行に桟が設けられているので、振動モータの振動により分離金網が振動しても、分離金網は桟に固定されているので、分離金網が歪まないようにすることができる。また、振動板は、振動板と桟との間隔より、振動板と分離金網の振動板に近い一端側との間隔の方が広くなっているため、振動モータによる振動により、分離金網や桟にかかる負担を最小限にすることができる。
【００２６】
尚、前記受入口は略矩形状であって、前記平板は、前記受入口の下辺近傍に軸支され、前記平板は上下方向に回動可能となっていても良い。
【００２７】
この場合には、平板は上下方向に回動可能となっているので、収集手段内の平板近傍の高さまでゴミが蓄積しても、平板を上方に調節することにより、ゴミが収集手段内に偏らず、均一に蓄積させることができる。
【００２８】
また、前記平板は多数の開口が形成されていても良い。
【００２９】
この場合には、平板は多数の開口を有しているので、受入口より吹き込まれたゴミに付着した砂等を、平板の開口を通して下方に落下させることができる。
【００３０】
また、前記略直方体状の箱の上面における、前記受入口が設けられている側面と対向する側面の近傍には、前記収集手段の内部の空気を外部に排出するための第１の排気口が設けられていても良い。
【００３１】
この場合には、収集手段の上面の第１の排気口から、収集手段内に吹き込まれた空気を外部に排出することができるので、第１の送風手段は収集手段内へゴミ等を連続して吹き込むことができる。
【００３２】
また、前記第１の第１の排気口には、前記収集手段から排出された空気を前記第１の送風手段に返送するための第１のダクトが設けられていても良い。
【００３３】
この場合には、収集手段の上面に設けられた第１の排気口には第１のダクトが設けられ、第１の排気口に接続された第１のダクトの反対側は第１の送風手段に接続されているので、空気は絶えず第１のカバー内の第１の搬送手段と収集手段内を循環し、粉塵を撒き散らすことなく、残土の選別処理をすることができる。
【００３４】
また、前記第１の排気口にはフィルタが設けられていても良い。
【００３５】
この場合には、第１の排気口に設けられたフィルタは、収集手段内から排出される空気中の粉塵又はゴミ等をろ過することができるので、第１のダクト内にゴミ等が流出するのを防止することができる。
【００３６】
また、前記収集手段の内部には、多数の開口が形成された敷き板が収集手段が載置された地面と所定間隔をあけて設けられていても良い。
【００３７】
この場合には、収集手段内に吹き込まれたゴミに付着した砂を、敷き板の多数の開口から落下させて蓄積させることができる。
【００３８】
また、前記収集手段の内部の、前記受入口が設けられた側面と、当該側面と対向する側面との中間には、上下方向に長さを変更可能な仕切板が設けられていても良い。
【００３９】
この場合には、収集手段内に吹き込まれたゴミ等が蓄積するに従って、収集手段の内部の仕切板を上方向に高くすることにより、収集手段内の所定の部屋に蓄積したゴミが再度混在しないようにすることができる。
【００４０】
また、前記仕切板は、複数枚の多数の開口が形成された板から構成され、前記敷き板に対して垂直方向に積み上げ可能であるようにしても良い。
【００４１】
この場合には、収集手段内にゴミが蓄積する高さに応じて、複数枚からなる仕切板を上方向に積み上げることにより、ゴミは仕切板の開口を通過しないので、収集手段内の各部屋に蓄積したゴミが再度混在することを防止できる。
【００４２】
また、前記収集手段の前面部の側面の両端部を各々開閉軸心として、中央より観音開き式に開閉可能となる２枚の扉が設けられていても良い。
【００４３】
この場合には、収集手段内部にゴミ等が大量に蓄積した場合には、収集手段の前面部の扉を開いて、簡単にゴミ等を外部に取り出すことができるので、再度選別処理を継続することができる。
【００４４】
また、前記収集手段の背面部の側面には、当該側面と平行な面を有する多数の開口が形成された背面板が、前記側面より所定距離離間して設けられていても良い。
【００４５】
この場合には、収集手段内の敷き板にゴミ等が蓄積しても、収集手段内に吹き込まれた空気は、収集手段内の背面板の多数の開口から抜けることができるので、連続して収集手段内にゴミを吹き込むことができる。
【００４６】
また、前記収集手段には、前記収集手段の内部から外部へ突出している前記第２の搬送手段を覆う第２のカバーが設けられていても良い。
【００４７】
この場合には、第２の搬送手段を覆う第２のカバーは、ゴミが搬送されると同時に舞い上がる粉塵を抑えることができるので、外部環境の汚染を防止できる。
【００４８】
また、前記第２のカバーには、前記第２のカバー内の空気を外部に排出するための第２の排気口が設けられていても良い。
【００４９】
この場合には、第２のカバーに設けられた第２の排気口から、第２のカバー内の粉塵が混在した空気が排出されるので、第２のカバー内を通過したゴミからは粉塵が舞うことがなく、衛生的に選別処理を行うことができる。
【００５０】
また、前記第２の排気口には、フィルタが設けられていても良い。
【００５１】
この場合には、第２の排気口に設けられたフィルタは、第２のカバー内の空気に混在するビニール片や紙くずなどが、第２の排気口から第２のカバーの外部に排出されないようにすることができる。
【００５２】
また、前記収集手段に設けられた前記受入口の下部には、前記収集手段内に空気を送風するために開口した送風口を備え、前記第２の送風手段は、前記送風口から前記収集手段内に向かって送風するようにしても良い。
【００５３】
この場合には、収集手段の受入口の下部の送風口から、第２の送風手段が収集手段内に向かって送風することにより、受入口から吹き込まれたゴミは、第２の搬送手段の設置付近まで飛ばされるので、収集手段内にゴミを残すことなく収集手段の外部に搬送することができる。
【００５４】
また、前記送風口にはフィルタが設けられていても良い。
【００５５】
この場合には、収集手段の送風口より、大きなゴミ、紙くず等のゴミが収集手段内部に侵入することを防止することができる。
【００５６】
また、前記第２の送風手段は、前記平板の裏面側に向かって送風するようにしても良い。
【００５７】
この場合には、受入口から吹き込まれたゴミは平板上を通過する時に、平板の裏面側からさらに送風されて、第２の搬送手段まで飛ばされるので、収集手段内に蓄積することなく、ゴミを収集手段の外部に搬送することができる。
【００５８】
また、前記第２の排気口には、前記第２のカバー内から排出された空気を前記第２の送風手段に返送するための第２のダクトが設けられていても良い。
【００５９】
この場合には、第２の排気口に接続された第２のダクトの一端側の他端側は、第２の送風手段に接続されているので、第２のカバー内の空気と粉塵は第２の排気口より吸引され、第２のカバーを通過したゴミからは粉塵が舞うことなく、収集手段内部のゴミを連続的に取り出すことができる。
【００６０】
前記収集手段には、前記収集手段内部に散水する散水手段を備えても良い。
【００６１】
この場合には、収集手段に設けられた散水手段によって、収集手段内に飛散する粉塵に水分を含ませることにより、粉塵を下方に落下させることができる。また、収集手段内の敷き板の目詰まりを解消又は防止することができる。
【００６２】
【発明の実施の形態】
以下、本発明の一実施の形態である選別装置１について、図面を参照して説明する。尚、選別装置１は、残土を大きさ、重量、磁性等によって選別する装置である。ここでいう残土とは、岩、石、砕石、鉄片、土、砂、木片、紙、繊維、廃プラスチック、ビニール等を含むものとする。まず、選別装置１の全体の構成について、図１、図２、図３及び図４を参照して説明する。ここで、図１は選別装置１の斜視図である。図２は選別装置１の正面図、図３は選別装置１の背面図、図４は第１のカバー部８を取り外した選別装置１の斜視図である。尚、後述する分離金網１２は水平面に対して所定角度で傾斜しており、分離金網１２に供給された残土は、傾斜する分離金網１２上の高い方から低い方へ向かって流れるものとする。よって、以下、分離金網１２の残土が流れる方向とは、傾斜する分離金網１２上の高い方から低い方へ向かう方向を示すこととする。
【００６３】
まず、図１、図２、図３及び図４に示すように、選別装置１において、選別装置１の土台となる傾斜調節フレーム１４の上部には、略長方形状の金網支持枠５４が、水平面に対して所定角度で傾斜して固定されている。さらに金網支持枠５４の上部には、金網支持枠５４と同じ外周枠形状を持つ、１枚の分離金網が固定されている。尚、分離金網１２も金網支持枠５４と同様に、水平面に対して所定角度をもって傾斜している。そして、分離金網１２の裏面側直下には、分離金網１２の網目から落下した土等を、後述する所定方向に搬送するための第１のベルトコンベア２が設置されている。また、分離金網１２の残土が流れる方向の下流側の端部近傍には、第２のベルトコンベア４が、分離金網１２の残土が流れる方向と第２のベルトコンベア４の長さ方向とが垂直に交わるように設置されている。
【００６４】
さらに、第２のベルトコンベア４の搬送方向（図４の第２のベルトコンベア４のベルト上に示す矢印方向）の下流側上部には、搬送される残留物中から磁性物（鉄片・鉄塊など）のみを選別するための磁選機３が設けられている。また、第２のベルトコンベア４の上部であって、分離金網１２の残土が流れる方向の下流側の端部近傍と、当該端部近傍から第２のベルトコンベア４の搬送方向とは反対方向の下流側端部までを覆うための第１のカバー部８が設置されている。さらに、第２のベルトコンベア４上に設置された第１のカバー部８の開口部分に向かって、空気を送風するための第１の送風機９が設置されている。これは、第１の送風機９が、第２のベルトコンベア４の磁選機３側に向かって搬送する方向とは反対方向に送風するようになっている。
【００６５】
そして、第２のベルトコンベア４の搬送方向とは反対方向の下流側端部には、第１の送風機９によって、残留物中から吹き出されるゴミ等の軽量物を大きさ、重量等によって収集し、選別するための収集装置５が接続されている。また、収集装置５の上面部には、収集装置５内の空気を外側に排気するための排気ボックス６２が設けられ、排気ボックス６２には、収集装置５内から排出される空気を再度第１の送風機９に返送するための第１のダクト７が接続されている。また、傾斜調節フレーム１４の内側には、図２及び図３に示すように、電源装置（発電機）１６が設置され、電源装置１６には傾斜調節フレーム１４に固定された配電盤１７が接続され、さらに配電盤１７には第１のベルトコンベア２、磁選機３、第２のベルトコンベア４、第１の送風機９が接続されている。
【００６６】
次に、傾斜調節フレーム１４について、図５を参照して説明する。図５は傾斜調節フレーム１４の斜視図である。傾斜調節フレーム１４は、分離金網１２、第１のベルトコンベア２、第２のベルトコンベア４を支持し、かつ分離金網１２の水平面に対する傾斜角度を調節するための部材である。まず、図５に示すように、傾斜調節フレーム１４は、４本の梁部材から構成された土台部３１と、土台部３１の図中左右両側から上方向に延設された左右側鉛直部３２，３３と、右側鉛直部３３よりさらに上方向に伸長する伸長部３４と、左側鉛直部３２及び伸長部３４によって支持される略長方形状に構成された枠部３５とによって、実質的に選別装置１の傾斜調節フレーム１４が構成されている。
【００６７】
さらに詳細に説明すると、土台部３１は、図中左右方向に延びる２本の長辺梁３１ａ、３１ｂと、長辺梁３１ａ、３１ｂに直交し、やや断面積の小さい２本の短辺梁３１ｃ、３１ｄとの計４本の梁部材によって略長方形に構成されている。これに対し、左側鉛直部３２は、土台部３１の図中左側に位置する短辺梁３１ｃの両端部から上方に向かって略鉛直方向に延びた鉛直梁３２ａ、３２ｂとから構成されている。そして、鉛直梁３２ａの上部と、３２ｂの上部との間には、水平梁４４が水平方向に渡設されている。さらに、鉛直梁３２ａ，３２ｂの水平梁４４の下部近傍からは、土台部３１より離れる側に向かって水平方向にＬ型梁３６ａ，３６ｂが一対となって延設されている。
【００６８】
そして、Ｌ型梁３６ａ，３６ｂの鉛直梁３２ａ，３２ｂから離れる側の先端部の上面には、パイプ梁４２，４２がＬ型梁３６ａ，３６ｂに対して略垂直にそれぞれ接続されている。さらに、Ｌ型梁３６ａの土台部３１より離れる側の先端部であって、Ｌ型梁３６ｂ側とは反対側の側面には、水平面に略垂直なパイプ梁４３が当接されている。一方、Ｌ型梁３６ｂの土台部３１より離れる側の先端部であって、Ｌ型梁３６ａ側とは反対側の側面にも、水平面に略垂直なパイプ梁４３が当接されている。尚、パイプ梁４３，４３は、パイプ梁４２，４２よりやや長くなっている。さらに、パイプ梁４２，４２は、パイプ梁穴４２ａ，４２ａを有し、後述する落下吸収部２０の棒部材２０ｅ，２０ｅが挿入され、落下吸収部２０が傾斜調節フレーム１４に固定されるようになっている。また、パイプ梁４３，４３も同様にパイプ梁穴４３ａ，４３ａを有し、後述する第１のカバー部８のカバー支持軸１０８ａ，１０８ｂがそれぞれ挿入され、第１のカバー部８が傾斜調節フレーム１４に固定されるようになっている。
【００６９】
一方、右側鉛直部３３は、土台部３１の図中右側に位置する短辺梁３１ｄの両端部から上方に向かって略鉛直方向に延びた鉛直梁３３ａ，３３ｂから構成されている。また、鉛直梁３３ａの上部と、３３ｂの上部との間には、後述する第２のベルトコンベア４を固定するための水平パイプ３６が水平方向に渡設されている。尚、鉛直梁３３ａ，３３ｂは、左側鉛直部３２を構成する鉛直梁３２ａ，３２ｂより長くなっている。そして、それぞれの鉛直梁３３ａ，３３ｂからは、さらに上方向に、伸長梁３４ａ，３４ｂが延設されている。ここで、鉛直梁３３ａ，３３ｂは略四角形状の長筒型部材であり、鉛直梁３３ａ筒内には、伸長梁３４ａが挿入されており、鉛直梁３３ａの長さ方向の上方に向かって伸長するようになっている。また、鉛直梁３３ｂには、伸長梁３４ｂが挿入されており、鉛直梁３３ｂの長さ方向の上方に向かって伸長するようになっている。
【００７０】
さらに、伸長梁３４ａの長さ方向下端部には、嵌合穴４１ａ，４１ｂ及び４１ｃが設けられ、伸長梁３４ｂの長さ方向下端部にも、嵌合穴４１ａ４１ｂ及び４１ｃがそれぞれ設けられている。また、鉛直梁３３ａ，３３ｂには、調節穴４１ｄ，４１ｄがそれぞれ設けられている。そして、それぞれの伸長梁の嵌合穴４１ａ，４１ｂ及び４１ｃの何れか１つの嵌合穴に鉛直梁３３ａ，３３ｂの調節穴４１ｄを合わせて、それらに調節ピン４１を嵌合させる。こうして伸長梁３４ａ，３４ｂを鉛直梁３３ａ，３３ｂに固定することにより、伸長梁３４ａ，３４ｂの伸長の長さを３段階に調節することができる。
【００７１】
また、枠部３５は、長梁３５ａ，３５ｂと、それらに直交する短梁３５ｃ，３５ｄとで枠部３５の外周枠形状が構成される。また、長梁３５ａ，３５ｂのそれぞれの長さ方向略中央部において、支持梁３５ｅが短梁３５ｃ，３５ｄと平行になるように渡設され、枠部３５の外周枠が歪まないように固定している。さらに、短梁３５ｄの長さ方向の略中央部の枠部３５の外側には、穴部を有する引っ掛け片１８が接続されている。
【００７２】
次に、枠部３５の傾斜角度の調節方法について、図５を参照して説明する。まず、伸長梁３４ａの長さ方向の上部の先端部には連結部材３７ａがあり、伸長梁３４ｂの長さ方向の上部の先端部には連結部材３７ｂがある。また、左側鉛直部３２の鉛直梁３２ａの長さ方向の上部の先端側には連結部材３７ｃが接続され、鉛直梁３２ｂの長さ方向の上部の先端側にも連結部材３７ｄが接続されている。これら４つの連結部材３７ａ，３７ｂ，３７ｃ及び３７ｄは、枠部３５の長梁３５ａ，３５ｂの長さ方向の右端部及び左端部近傍をそれぞれ挟持する。そして、それぞれの連結部材３７ａ，３７ｂ，３７ｃ及び３７ｄに留めピン３８を取付けることにより、枠部３５は軸支される。よって、上述したように、伸長梁３４ａ，３４ｂは３段階に伸長するので、枠部３５は３段階に傾斜角度を調節することができる。尚、枠部３５の水平面に対する傾斜角度は水平面に対して３０度、３５度、４０度となっている。これらの傾斜角度は、上記に限らず自由に変更してよい。また、枠部３５の傾斜角度を変更する時は、枠部３５の短梁３５ｄの引っ掛け片１８をクレーン等で上方へ吊り上げて、伸長部３４の伸長する長さを調節する。尚、枠部３５の傾斜角度、即ち分離金網１２の傾斜角度を高くすると、分離金網１２を落下する土砂の粒径は小さくなり、より細かく土砂を選別することができる。
【００７３】
また、右側鉛直部３３を構成する鉛直梁３３ａ，３３ｂと、土台部３１を構成する長辺梁３１ａ，３１ｂとがそれぞれ垂直に直交する部分を両側から２枚の連結片４０で当接し、留めピン３９で、鉛直梁３３ａ，３３ｂを軸支している。よって、例えば、傾斜調節フレーム１４から枠部３５を取り外し、さらに伸長梁３４ａ，３４ｂを鉛直梁３３ａ，３３ｂの内部奥まで挿入すると、鉛直梁３３ａ，３３ｂは各連結片４０において、傾斜調節フレーム１４の内側に折り畳むことができるので、折り畳まれた傾斜調節フレーム１４をトラックに積み込んで、作業現場等に輸送することができる。
【００７４】
また、伸長梁３４ａ，３４ｂの長さ方向で地面から離れる側のそれぞれの先端部近傍の間には、シート取付梁１２３が水平方向に渡設されている。これは、防塵シート（図示外）を取付ける際に使用する部材であり、シート取付梁１２３から下方向に防塵シートが吊るされるようになっている。
【００７５】
次に、分離金網１２と、第１のベルトコンベア２について、図６を参照して説明する。図６は分離金網１２、金網支持枠５４、遮蔽板１０及び、第１のベルトコンベア２等を装着した傾斜調節フレーム１４の斜視図である。図６に示すように、略長方形状の分離金網１２には、分離金網１２の残土が流れる方向に平行な両端部に挟まれる略中央部に沿って、細長い平板部材の桟５３が固定されている。さらに、分離金網１２の外周枠にも、４本の細長い平板部材から構成される周囲桟５７が固定されている。この桟５３及び周囲桟５７は、後述する振動モータ１３の振動により、分離金網１２に歪みが生じたり、破損したりするのを防止することができる。
【００７６】
そして、分離金網１２の裏面側には、分離金網１２と同じ外枠形状からなり、分離金網１２を支持するための金網支持枠５４が設けられている。金網支持枠５４は、４本の梁部材から構成される略長方形状の枠と、枠内部において互いに対向する梁部材のそれぞれの略中央間に渡設される梁部材が、枠の中央において直角に交差する２本の梁部材とから構成されている。そして、分離金網１２の桟５３と金網支持枠５４との間、及び周囲桟５７と金網支持枠５４との間には、防振ゴム５２がそれぞれ配設されている。具体的には、桟５３と金網支持枠５４との間には防振ゴム５２が６個配設されている。また、周囲桟５７の長さ方向（分離金網１２の残土が流れる方向）に平行な両端側と金網支持枠５４との間には、一端側に６個ずつ、計１２個の防振ゴムが配設されている。また周囲桟５７の長さ方向と垂直な両端側と金網支持枠５４との間には、一端側に２個ずつ、計４個の防振ゴムが配設されている。尚、この防振ゴム５２の個数は、これらに限らず自由に変更してもよい。これらの防振ゴム５２は、後述する振動モータ１３の振動が分離金網１２以外の各部材に伝わらないようにするために設けられている。また、これらの防振ゴム５２により、分離金網１２と金網支持枠５４は固定されている。
【００７７】
また、金網支持枠５４は傾斜調節フレーム１４の枠部３５の上部に固定されている。具体的には、図５に示す枠部３５の長梁３５ａの長さ方向の右端部近傍、及び左端部近傍の枠部３５の外側に位置する面には、それぞれ１つの連結部材５５が、上方に突出して接続されている。また、枠部３５の長梁３５ｂの長さ方向の右端部近傍、及び左端部近傍の枠部３５の外側に位置する面にもそれぞれ１つの連結部材（図示外）が上方に突出して接続されている。そして、各連結部材５５の突出部分には、金網支持枠５４の各片がそれぞれ固定される。こうして、分離金網１２を支持する金網支持枠５４は、傾斜調節フレーム１４により固定される。
【００７８】
さらに、図６に示すように、水平面に対して傾斜する金網支持枠５４の地面に近い一端側の両端部近傍には、略Ｌ字形形状の保持部材８９の一端側がそれぞれ接続され、保持部材８９の金網支持枠５４に接続された一端側と反対側の他端側は、分離金網１２の面に対して上方向略垂直に折れ曲がっている。そして、保持部材８９，８９と周囲桟５７の第２のベルトコンベア４の接続側の辺との間には、防振ゴム５２，５２がそれぞれ接続されている。これらの防振ゴム５２，５２は、振動モータ１３により振動する分離金網１２を、第２のベルトコンベア４の設置側より分離金網１２を安定させるために、分離金網１２を支持している。
【００７９】
さらに、図６に示すように、分離金網１２の残土が流れる方向に平行な両端側近傍には、平板形状の金網シュート片１２ａ，１２ｃが設けられている。さらに、分離金網１２の残土が流れる方向の上流側に位置する一端側近傍には、平板形状の金網シュート片１２ｂが設けられている。そしてそれぞれの金網シュート片１２ａ，１２ｂ及び１２ｃの一端側は金網支持枠５４から上方に向かって延設したシュート固定片１０２にそれぞれ固定されている。そして、金網シュート片１２ａと１２ｃは、金網支持枠５４と接続する一端側とは反対側の他端側は互いにＶ字形形状になるように、上方向に向かって傾斜している。また、金網シュート片１２ｂの金網支持枠５４と接続する一端側とは反対側の他端側も上方に向かって、分離金網１２とは反対側に傾斜している。尚、金網シュート片１２ｃの長さ方向の略中央部には、後述する遮蔽板固定片１０ａが分離金網１２上に延設されるための隙間が設けられている。
【００８０】
また、図２及び図３に示すように、金網シュート片１２ａの分離金網１２とは反対側の面には、長さ方向に平行なシート取付梁１２０が設けられ、金網シュート片１２ｃの分離金網１２とは反対側の面には、長さ方向に平行なシート取付梁１２１が設けられている。これらは、防音・防塵シート（図示外）を取付ける部材であり、防音・防塵シートを各々のシート取付梁１２０，１２１から下方向へ吊るして、防音・防塵シートの下端部を後述する第１のベルトコンベア２のコンベアシュート片２ａの端部にそれぞれ固定することにより、分離金網１２の網目を土等が落下する際に、粉塵が外部に飛散することを抑えることができる。また、後述する振動モータ１３から発する振動音を抑えることができる。
【００８１】
次に、分離金網１２に固定される振動板１１と振動モータ１３について、図６を参照して説明する。まず、分離金網１２の表面及び裏面側には、略矩形状である振動板１１が固定される。この振動板１１は略矩形状の鉄板片であり、分離金網１２の残土が流れる方向の上流側で、分離金網１２の左右何れかの一端側近傍において、分離金網１２を表面側及び裏面側から挟み込むように分離金網１２に固定されている。具体的には、図６に示すように、桟５３と振動板１１との隙間より、振動板１１と周囲桟５７の振動板１１側の一端側との隙間の方が広くなるように振動板１１は分離金網１２に固定されている。そして、振動モータ１３は分離金網１２に固定された分離金網１２の裏面側に固定された振動板１１に固定される。振動板１１が上述の位置に固定されると、振動モータ１３の振動が振動板１１を通じて分離金網１２に伝わる際に、桟５３、周囲桟５７又は振動モータ１３等に最も負荷をかけずに、分離金網１２を振動させることができる。よって、分離金網１２、桟５３、周囲桟５７又は振動モータ１３等の部材の損傷は最小限に抑えることができる。
【００８２】
次に、遮蔽板１０について、図６を参照して説明する。図６に示すように、分離金網１２の残土が流れる方向と平行であって、分離金網１２に固定された振動板１１側の一端側の略中央部には、分離金網１２の表面に対して、上方、かつ略垂直方向に長さ方向を有する遮蔽板固定片１０ａが金網支持枠５４より延設されている。また、金網支持枠５４の遮蔽板固定片１０ａが接続する一端側とは反対側の他端側であって、地面に最も近い角部近傍からは、分離金網１２の表面に対して、上方、かつ略垂直方向に長さ方向を有する遮蔽板固定片１０ｂが金網支持枠５４より延設されている。これらの遮蔽板固定片１０ａ，１０ｂは互いに同じ長さであり、それぞれ６個の調節穴が設けられている。この遮蔽板固定片１０ａと遮蔽板固定片１０ｂとの間には、略長方形状の板部材である遮蔽板１０が水平方向に渡設されている。尚、遮蔽板１０の面は分離金網１２の面と略垂直になるように、遮蔽板１０は、遮蔽板固定片１０ａ，１０ｂに固定されている。
【００８３】
さらに詳細に説明すると、遮蔽板固定片１０ａ，１０ｂのそれぞれの調節穴に、遮蔽板１０の長さ方向に垂直な両端部をそれぞれ当接させ、ピンで固定することにより、遮蔽板１０は遮蔽板固定片１０ａ，１０ｂに渡設される。そして、遮蔽板１０は遮蔽板固定片１０ａ，１０ｂに固定する調節穴を選択して調節することにより、分離金網１２の表面と遮蔽板１０とにできる間隔（隙間）を調節することができる。これは、処理する残土内に含まれる大きな残留物の内、分離金網１２の外部に排出させる砕石物等のサイズを予め決め、そのサイズより分離金網１２の表面と遮蔽板１０とにできる間隔（隙間）を狭くすることにより、その砕石物等は遮蔽板１０で遮断され、第２のベルトコンベア４に落下しないようになっている。尚、分離金網１２の表面と遮蔽板１０とにできる間隔（隙間）は、５０ｍｍから３００ｍｍの範囲内で５０ｍｍずつ変更することが可能となっている。尚、この遮蔽板１０の高さは、遮蔽板固定片１０ａ，１０ｂの調節穴の個数等を変えるなどして、変更してもよい。
【００８４】
さらに、分離金網１２には、遮蔽板１０によって取り除かれた大きな残留物を外部に排出するために、遮蔽板１０を固定する遮蔽板固定片１０ｂの近傍に、排出口１００が設けられている。排出口１００は、上述の金網シュート片１２ａの分離金網１２の残土が流れる方向下流側は短く切断されており、遮蔽板１０によって取り除かれた大きな残留物が分離金網１２の外部に排出されるようになっている。また、排出口１００には、略台形状の落下物シュート５０が設けられており、遮蔽板１０によって取り除かれ、分離金網１２の排出口１００を通過する大きな残留物を分離金網１２よりやや離れる位置に誘導し、排出させることができる。
【００８５】
尚、遮蔽板１０は、分離金網１２の振動板１１の取付側から、残土が流れる方向の下流側に向かって傾斜（図中左下がり）している。よって、例えば、振動板１１が、分離金網１２の図６の取付位置（分離金網１２の右側）とは反対側（分離金網１２の左側）に固定されている場合は、遮蔽板１０の傾斜は逆（図中右下がり）になるようにする。また、それに従って、遮蔽板１０の傾斜する方向の下流側に、排出口１００を設けるようにする。
【００８６】
次に、第１のベルトコンベア２の接続方法について、図１、図２、図３及び図６を参照して説明する。第１のベルトコンベア２は、分離金網１２の網目を落ちた土等を分離金網１２の直下で受け入れ、傾斜調節フレーム１４の内側から外側に向かって搬送する。第１のベルトコンベア２の長さ方向に平行な両端部には、図１、図２、図３及び図４に示すように、コンベアシュート片２ａ，２ａが上方に向かって互いにＶ字形に開くようにそれぞれ設けられており、分離金網１２の網目を落ちた土等がすべて第１のベルトコンベア２に落下するようになっている。第１のベルトコンベア２は、図５に示す傾斜調節フレーム１４の水平パイプ３６と伸長梁３４ａ，３４ｂ、シート取付梁１２３とによって囲まれる面より、傾斜調節フレーム１４の内側方向に向かって渡設され、傾斜調節フレーム１４の短辺梁３１ｃに第１のベルトコンベア２の一端部を当接する。そして、図６に示すように、傾斜調節フレーム１４の短辺梁３１ｃに設けられた固定金具５１に第１のベルトコンベア２の一端部を嵌合させ、ピン（図示外）で固定することにより第１のベルトコンベア２の一端部が固定される。そして、水平パイプ３６上に第１のベルトコンベア２の長さ方向の略中央部を載置させ、留め具４５，４５（図５参照）を用いて、第１のベルトコンベア２の略中央部を水平パイプ３６に固定する。こうして、第１のベルトコンベア２は分離金網１２の直下に固定され、分離金網１２から落下した土等に働く重力加速度が最小限に抑えられるようになっている。
【００８７】
次に、第２のベルトコンベア４について図２，図３，図４，図５及び図７を参照して説明する。図７は第１のカバー部８を外した第２のベルトコンベア４上の正面図である。図７に示すように、第２のベルトコンベア４は、図５に示す傾斜調節フレーム１４の鉛直梁３２ａ，３２ｂから土台部３１より離れる側に向かって、略水平方向に接続されたＬ型梁３６ａ，３６ｂ上に渡設されている。また、図４又は図７に示すように、分離金網１２の目を落下しなかったすべての残留物が、第２のベルトコンベア４上に誘導され、落下するように、略長方形状の誘導片２３が、金網支持枠５４の第２のベルトコンベア４の設置側の一端側上面より、第２のベルトコンベア４の上面に向かって延設されている。
【００８８】
また、図４及び図７に示すように、第２のベルトコンベア４の長さ方向の両端側には、第２のベルトコンベア４の搬送方向と平行なベルト部分の両端側近傍にそれぞれ延設された、落下防止部２７，２７が設置されている。２つの落下防止部２７，２７は、弾性体２７ａ，２７ａを固定具２７ｂ，２７ｂでそれぞれ固定して保持している。落下防止部２７，２７は、それぞれの弾性体２７ａ，２７ａを、第２のベルトコンベア４のベルト部を中央として、ベルト部の両端近傍から互いに略Ｖ字形になるように設置されている。落下防止部２７，２７は、第２のベルトコンベア４上に落下した残留物が、搬送される際にベルトの外側に落下するのを防止している。
【００８９】
さらに、分離金網１２上を流れた残留物が第２のベルトコンベア４に向かって落下する方向には、残留物を受け止める略長方形状の弾性体２０ａを保持する落下吸収部２０が、第２のベルトコンベア４の長さ方向に平行に設けられている。この略長方形状の弾性体２０ａは、分離金網１２の残土が流れる方向の両端間の長さとほぼ同じ長さを有しており、第２のベルトコンベア４のベルト部分の分離金網１２から離れる一端側近傍に略垂直に降り立つように設けられている。
【００９０】
次に、落下吸収部２０について、図４又は図７を参照して具体的に説明する。図４及び図７に示すように、地面に対して垂直方向を有する棒部材２０ｅ，２０ｅのそれぞれの上端部からは、水平方向に向かって棒部材２０ｄ，２０ｄが接続されている。そして、棒部材２０ｄ，２０ｄの棒部材２０ｅ，２０ｅと接続する一端側と反対側の他端側には、棒部材２０ｄと２０ｄとの距離より、やや大きい幅を有する１枚の略長方形状の弾性体２０ａが固定されている。具体的にいうと、水平面に対して略垂直な面を有する略長方形状の弾性体２０ａの地面と平行な上端部近傍の表面及び裏面側に、樹脂固定片２０ｂ，２０ｆがそれぞれ当接されており、固定具２０ｃで弾性体２０ａと樹脂固定片２０ｂ，２０ｆとを固定している。そして、樹脂固定片２０ｂ，２０ｆで固定された弾性体２０ａの樹脂固定片２０ｂ，２０ｆが固定されている部分の近傍に、棒部材２０ｄ，２０ｄが弾性体２０ａの面に対して垂直に接続されることにより、落下吸収部２０が構成される。そして、落下吸収部２０は、図４又は図７に示すように、そして、弾性体２０ａの棒部材２０ｄ，２０ｄが接続されている面とは反対側の面を第２のベルトコンベア４側に対向させ、落下吸収部２０の棒部材２０ｅ，２０ｅを、傾斜調節フレーム１４のＬ型梁３６ａ，３６ｂに接続されたパイプ梁４２，４２のパイプ梁穴４２ａ，４２ａ（図５、図６参照）にそれぞれ挿入させることにより、落下吸収部２０が傾斜調節フレーム１４に固定される。この落下吸収部２０は、分離金網１２から勢いよく落下する残留物が、第１のカバー部８に直接衝突しないように設けられている。
【００９１】
次に、第１のカバー部８について、図８を参照して説明する。図８は第１のカバー部８の斜視図である。第１のカバー部８は、略「く」の字形形状をした第１のユニット２０８と第２のユニット２０９とから構成され、それぞれの端部が互いに略垂直に接続している。また、各ユニットは弾性体（ゴム）の板からなる複数のカバー片が各々連接して構成され、各連接部位は平板のアングル部材によって固定されている。まず、第１のユニット２０８は、略長方形状の第１のカバー片８ａと、第２のカバー片８ｂとから構成されている。略長方形状の第１のカバー片８ａは長さ方向両端部の一端側が水平面に対して傾斜している。尚、第１のカバー片８ａの傾斜角度は、第１のカバー部８を傾斜調節フレーム１４に固定した時に、第１のカバー片８ａが、分離金網１２の面に接しないように調節する。さらに傾斜する第１のカバー片８ａの地面に近い一端側には、地面に対して略鉛直方向に第２のカバー片８ｂが連接され、下方に垂れ下がるようになっている。ている。そして傾斜する第１のカバー片８ａの地面に近い一端側の両端部からは、カバー支持軸１０８ａ，１０８ｂがそれぞれ地面に対して鉛直方向に接続されている。また、第２のカバー片８ｂにおいて、第１のカバー片８ａとカバー支持軸１０８ａ，１０８ｂとの接続部分近傍には、切欠部１０９ａ，１０９ｂがそれぞれ設けられている。これらは図１に示すように、落下吸収部２０の棒部材２０ｄ，２０ｄが切欠部１０９ａ，１０９ｂに嵌合することにより、第１のカバー部８の内側に落下吸収部２０を設置できるようになっている。
【００９２】
一方、第２のユニット２０９は、第３のカバー片８ｃ、第４のカバー片８ｄ、第５のカバー片８ｅ、第６のカバー片８ｆの４つのカバー片から構成されている。まず、略直角三角形状の第３のカバー片８ｃと、略長方形状の第４のカバー片８ｄとが連接して、水平面に平行な略三角形状の上面部を構成する。また、連接する第３のカバー片８ｃと第４のカバー片８ｄとからなる直線状に連接する辺には、台形状の第５のカバー片８ｅが、地面に対して鉛直方向に連接され、さらに第５のカバー片８ｅからは第６のカバー片８ｆが連接されている。そして、第１のユニット２０８と第２のユニット２０９とが互いに略直角になるように連接することにより、第１のカバー部８が構成される。
【００９３】
次に、第１のカバー部８の傾斜調節フレーム１４への固定方法について説明する。まず、図４に示すように、傾斜調節フレーム１４に第２のベルトコンベア４と落下吸収部２０とを設置する。そして、図８に示す第１のカバー部８の第１のカバー片８ａの第２のカバー片８ｂと連接する一端側とは反対側の他端側を分離金網１２側に向かうようにし、図６に示す傾斜調節フレーム１４のパイプ梁４３のパイプ梁穴４３ａに、第１のカバー部８のカバー支持軸１０８ａを嵌合させ、傾斜調節フレーム１４のパイプ梁４３のパイプ梁穴４３ａに、第１のカバー部８のカバー支持軸１０８ｂを嵌合させる。そして、第１のカバー片８ｂは、図２又は図３に示すように、第２のベルトコンベア４のベルト側に向かって湾曲させる。この時に、図１に示すように、落下吸収部２０の棒部材２０ｄ，２０ｄを第２のカバー片８ｂの切欠部１０９ａ，１０９ｂ（図８参照）に嵌合させる。そして、第６のカバー片８ｆも同様に、第２のベルトコンベア４のベルト側に向かって湾曲させる。こうして、図１に示すように、第１のカバー部８は、第２のベルトコンベア４が接続された傾斜調節フレーム１４に固定される。また、第１のカバー部８の第４のカバー片８ｄは、後述する収集装置５の第１の連結片７３に垂直に当接される。そして、第１のカバー部８の第５のカバー片８ｆは、後述する収集装置５の第２の連結片７２に当接して固定される。よって、第１の送風機９による空気の流れは、第２のベルトコンベア４から収集装置５に向かうようになっている。
【００９４】
次に、第１の送風機９について、図４を参照して説明する。図４に示すように、第１の送風機９は、後述する磁選機架台１５に、磁選機３とは反対方向に向かって、水平面よりやや下方に傾斜した取付板２１に固定されている。そして、第１の送風機９は、第２のベルトコンベア４の搬送方向とは反対方向、即ち磁選機３の設置方向とは反対方向に向かって、第１のカバー部８内に送風するように固定されている。これは、分離金網１２から落下して、第２のベルトコンベア４にて搬送される残留物に対して、搬送方向とは反対方向に送風することにより、ビニール、紙くず及び廃プラ等のゴミが、第１の送風機９の送風する方向に吹き飛ばされるようになっている。さらに、第２のベルトコンベア４は第１のカバー部８によって覆われているので、ゴミは周辺に飛散しないようになっている。そして、収集装置５の第２のベルトコンベア４と接続する側面には、後述する略矩形状の受入口２４が設けられており、第１の送風機９の送風により、吹き飛ばされたゴミが収集装置５に吹き込まれるようになっている。
【００９５】
次に、磁選機３について、図１又は図４を参照して説明する。図１及び図４に示すように、磁選機３は、第２のベルトコンベア４の残留物を搬送する方向の下流側の上部から吊り下げられ、コンベア上の搬送物中から磁性物（鉄片・鉄塊など）のみを選別除去するために設けられている。磁選機３は電磁式の吊下磁選機である。磁選機３の構造は、鉄芯とケース、アルミ条コイルとコイルの熱を逃がすための絶縁油とで電磁石が構成されており、電磁石に吸引された鉄片等の磁性物はスクレーパー（図示外）付のベルト部にて外部に排出されるようになっている。尚、磁選機架台１５は、各棒状部材から構成された架台であり、磁選機架台１５の上面部に渡設された固定梁１５ａ，１５ａから、４本の吊下棒２５が、地面に対して略垂直方向に固定され、さらにそれらの長さ方向の地面側先端に磁選機３が吊り下げられるようになっている。
【００９６】
次に、収集装置５について、図９，図１０，図１１及び図１２を参照して説明する。図９は、収集装置５の斜視図であり、図１０は収集装置５の正面図、図１１は左右扉部６０，６１を開いた状態の収集装置５の正面図であり、図１２は収集装置５（はしご部９０は省略）の平面図である。収集装置５は、底面を有しない略直方体状の箱であって、第２のベルトコンベア４が接続される第１の壁面９１と、上面部を形成する第２の壁面９２と、第１の壁面９１と対向する第３の壁面９３と、前面部を形成する第４の壁面９４と、背面部を形成する第５の壁面９５とから構成されている。そして、収集装置５の第１の壁面９１は、第２のベルトコンベア４の搬送方向とは反対方向の下流側の端部に、第２のベルトコンベア４の長さ方向と垂直になるように接続されている。さらに、収集装置５の第１の壁面９１には、略矩形状であって、第１のカバー部８に覆われた第２のベルトコンベア４側から吹き込まれるゴミ等を受け入れる受入口２４が設けられている。
【００９７】
また、第２のベルトコンベア４が接続される第１の壁面９１には、略矩形状の平板部材である第１の連結片７３が、受入口２４の上部に面接合され、第１の壁面９１の上辺よりやや上方に突出して固定されている。また、受入口２４の地面に垂直な第４の壁面９４側の一辺とその上方に向かう延長線上には、第２の連結片７２の端部が第１の壁面９１と略垂直に接続されている。第２の連結片７２は、細長い略長方形状であって、上方向に長さ方向を有する部材である。また、第２の連結片７２の上端部は、第１の連結片７３の上端部と同一平面上となるように切断されている。これらは第２のベルトコンベア４上に設置される第１のカバー部８の第５のカバー片８ｅの端部と接続するための部材となる。第２の連結片７２には、取付穴７２ａ，７２ｂ，７２ｃ及び７２ｄが設けられており、それぞれを第１のカバー部８と当接させて取付穴７２ａ，７２ｂ，７２ｃ及び７２ｄを固定具（図示外）で固定し、図１に示すように、第１のカバー部８と収集装置５とが互いに接続するようになっている。
【００９８】
また、図９、図１０に示すように、収集装置５の前面部を形成する第４の壁面９４には、水平面に対して略垂直な両端部を開閉軸心として、中央より観音開き式に開閉可能となる右扉部６０，左扉部６１が設けられている。尚、右扉部６０はちょうつがい部７１ｃ，７１ｄによって軸支され、開閉可能となっている。また、左扉部６１も同様に、ちょうつがい部７１ａ，７１ｂによって軸支され、開閉可能となっている。さらに、右扉部６０の略中央部には、窓部６０ａが、左扉部６１の略中央部には、窓部６１ａがそれぞれ設けられ、選別装置１が稼働中でも収集装置５の内部を確認できるようになっている。
【００９９】
さらに、図１０に示すように、右扉部６０には、左扉部６１と隣接する右扉部６０の端部近傍の上下部には、嵌合穴６９ｂ，７１ｂが設けられている。一方、左扉部６１にも同様に、右扉部６０に隣接する左扉部６１の端部近傍の上下には、嵌合穴６９ａ，７１ａが設けられている。また、図１１に示すように、左右扉部６１，６０が開いた収集装置５の第１の壁面９１と第２の壁面９３との間の略中央に設けられた水平面に略垂直な中央梁８６の上部近傍には、凸部６８ａ，６８ｂが設けられ、中央梁８６の下部近傍には凸部７０ａ，７０ｂがそれぞれ設けられている。そして、左右扉部６１，６０が閉じた際に、嵌合穴６９ａには凸部６８ａが嵌合し、嵌合穴７１ａには凸部７０ａが嵌合し、嵌合穴６９ｂには凸部６８ｂが嵌合し、嵌合穴７１ｂには凸部７０ｂが嵌合するようになっており、それぞれの嵌合穴からは、凸部がやや突出するようになっている。
【０１００】
また、それぞれの凸部６８ａ，６８ｂ，７０ａ及び７０ｂは、水平面に対して略垂直方向に穴部（図示外）が設けられており、図１０に示すように、右扉部６０，左扉部６１が閉じられた状態において、それぞれの嵌合穴より突出した凸部の穴部に略「く」の字形のカギ部６７を嵌合させることによって右扉部６０，左扉部６１は共にロック状態となる。また、右扉部６０の左扉部６１と隣接する端部の略中央部には、水平面に略垂直な穴部（図示外）を有したパイプ状の取っ手部６６ｂが設けられている。一方、左扉部６１の右扉部６０と隣接する端部の略中央部にも、水平面に略垂直な穴部（図示外）を有したパイプ状の取っ手部６６ａが設けられている。これらは、右扉部６０，左扉部６１を各々開閉する際に、凸部６８ａ，６８ｂ，７０ａ及び７０ｂからそれぞれ外した何れかのカギ部６７を取っ手部６６ａ，６６ｂにそれぞれ挿入し、手前方向に引くことにより、左扉部６１、右扉部６０が観音開きに各々開くようになっている。
【０１０１】
さらに、図１０に示すように、第４の壁面９４において、左扉部６１、右扉部６０の下部には、略長方形状の蓋部６５が設けられている。蓋部６５における地面と略垂直方向を有する両端側の左側近傍には嵌合穴８５ａ、右側には嵌合穴８５ｂが設けられている。蓋部６５の水平方向に略平行な両端間の長さは、後述する敷き板８４と地面との間の長さと同じになっている。これらは、図１０又は図１１に示すように、左扉部６１、右扉部６０の下部に蓋部６５が着脱可能となるように、蓋部６５を外した収集装置５の第４の壁面９４の左右扉部６１，６０より下部において、水平面に対して略垂直な両端部の近傍にはそれぞれ凸部７４ａ，７４ｂが設けられている。よって、蓋部６５の嵌合穴８５ａには凸部７４ａが、嵌合穴８５ｂには凸部７４ｂが嵌合するようになっている。凸部７４ａ，７４ｂは、水平面に略垂直な穴部（図示外）を有している。よって、嵌合穴８５ａには凸部７４ａが、嵌合穴８５ｂには凸部７４ｂが嵌合した際には、それぞれの凸部が嵌合穴よりやや突出し、それぞれの穴部にカギ部６７を嵌合させることにより、蓋部６５は収集装置５の下部に固定されることになる。
【０１０２】
また、図９に示すように、上面部を形成する第２の壁面９２において、第３の壁面９３及び第４の壁面９４側近傍には、収集装置５の内部の空気を外部に排出するために開口した略矩形状の排気口９７（図１２参照）が設けられ、第１の排気口９７の上部（収集装置５の外側）には、略直方体状の箱である排気ボックス６２が設けられている。さらに、図１２に示すように、排気ボックス６２において、第５の壁面９５と平行であって、第５の壁面９５側の側面には、円筒状の円筒部材６２ａが円部を当接して設けられている。また、排気ボックス６２の円筒部材６２ａに囲まれる側面部分は切り抜かれている。さらに、円筒部材６２ａには、ホース状の第１のダクト７が接続されおり（図１、図３及び図９参照）、図１２に示す円筒部材６２ａと接続する一端側とは反対側の他端側は、上述したように、第１の送風機９に接続されている。よって、第１の排気口９７から排出された空気は、排気ボックス６２から第１のダクト７を通過して、再度第１の送風機９に返送されるようになっている。
【０１０３】
さらに、図１２に示すように、第１の排気口９７の上面部には、収集装置５内部から排出される空気に混在したゴミ等が第１のダクト７に排出されないように、第１の排気口９７よりやや大きい面積を有する略矩形状の第１のフィルタ６３が設けられている。第１のフィルタ６３は、排気ボックス６２と収集装置５との間に、図中右側から水平方向に差し込まれるようになっている。また、排気ボックス６２と円筒部材６２ａとの間には、第２のフィルタ６４が設けられている。また、第２のフィルタ６４は３枚のフィルタ部材が重ねられて構成されており、本実施例では５，７，１０ｍｍの３枚のフィルタが重ねられている。尚、フィルタの枚数及び網目サイズは、これらに限らず変更可能である。
【０１０４】
次に、収集装置５の内部について図４、図１０及び図１１を参照して説明する。図４に示すように、第２のベルトコンベア４が接続される収集装置５の第１の壁面９１に設けられた受入口２４の下辺側近傍には、平板７８が回転軸部７９によって軸支されることにより、平板７８は回動可能となっている。また、収集装置５の内部には、地面と平行面を有し、かつ多数の開口を有する網状になった敷き板８４が設けられている。さらに、図１２に示すように、収集装置５の第１の壁面９１と第３の壁面９３との略中央部であって、第４の壁面９４側近傍には、敷き板８４から上方向に向かってガイド梁８０ａ，８０ｃが延設されている。一方、同様に、第５の壁面９５側近傍には、敷き板８４から上方向に向かってガイド梁８０ｂ，８０ｄが延設されている。そして、ガイド梁８０ａと８０ｃ、ガイド梁８０ｂと８０ｄとの間には、略矩形状の網目を有する３枚の仕切板８１，８２，８３が挟まれるように設けられている。そして仕切板８１，８２，８３は図１０に示すように、それぞれを上下方向に積み上げて、仕切板の高さを調節できるようになっている。
【０１０５】
以上のようにして、収集装置５の内部は、各部材によって第１の部屋７６、第２の部屋７７、第３の部屋７５に分割され、後述するようにゴミのサイズ及び重量によって、ゴミはそれぞれの部屋に蓄積されるようになっている。第１の部屋７６には、主に重くて、サイズの大きいゴミ（例えば、大きな木片等）が蓄積する。第２の部屋７７には、収集装置５の受入口２４より離れる位置まで飛ばされるゴミ、即ち軽くてサイズの小さいゴミ（例えば、紙くず、ビニール、廃プラ等）が蓄積される。そして、第３の部屋７５には、ゴミ等に付着した砂が落下して、蓄積されるようになっている。
【０１０６】
さらに、収集装置５内の背面部である第５の壁面９５には、第５の壁面９５から５０ｍｍ程度の間隔をあけて、第５の壁面９５と平行な面を有する背面板８７が設けられている。また、背面板８７は多数の開口を有する網状になっているため、収集装置５に吹き込まれた空気は、敷き板８４と第１の排気口９７だけでなく、背面板８７をも通過することができる。よって、ゴミ等が敷き板８４に蓄積した場合、敷き板８４の網目はゴミで塞がれてしまい、空気の循環が悪くなるが、背面板８７を通しても空気は抜けるので、連続して残土の選別処理を行うことが可能である。また、ここで背面板８７は第５の壁面９５から５０ｍｍの間隔をあけて設けられているが、この間隔はこれに限らず変更してもよい。
【０１０７】
さらに、収集装置５の第３の壁面９３の外側には、はしご部９０が接続されている。これは、分離金網１２の損傷や歪み等の確認、及び部材の交換等をする際に、はしご部９０を使って、収集装置５の第２の壁面９２上に登り、取り替え作業等がしやすいようになっている。
【０１０８】
次に、選別装置１の残土を選別処理するしくみについて説明する。最初に、分離金網１２から収集装置５までの残土の選別処理について説明する。まず、図１に示すように、傾斜調節フレーム１４に固定された分離金網１２の表面上部に、選別処理する残土を供給する。残土は、振動モータ１３により振動する分離金網１２上を流れ、網目より小さい粒径の土等は、分離金網１２の直下に設置された第１のベルトコンベア２上に落下し、傾斜調節フレーム１４の内側から外側に向かって搬送されて堆積する。一方、分離金網１２の網目より大きい粒径の残留物は、分離金網１２上を流れる。さらに残留物には重力加速度が加わるので、分離金網１２上を流れる残留物は、第２のベルトコンベア４に設置された落下吸収部２０に衝突し、第２のベルトコンベア４上に落下する。そして、残留物は、第２のベルトコンベア４によって、磁選機３の方向へ搬送されるが、第２のベルトコンベア４の搬送方向の下流側に設置された磁選機３により、磁性物（鉄片、釘、缶等）のみが除去され、第２のベルトコンベア４の端部下方に残留物が堆積するようになっている。ここに堆積する残留物は、主に、大きくて重い砕石物等のようなものである。
【０１０９】
さらに、分離金網１２より、第２のベルトコンベア４に落下して搬送される残留物は、第２のベルトコンベア４により残留物が搬送される方向とは、反対方向に、第１の送風機９により送風されるので、残留物中の軽いゴミ（例えば、ビニール、紙くず、廃プラ等）は、第２のベルトコンベア４の搬送方向とは反対方向に飛ばされる。また、第１の送風機９は、第１のカバー部８内部に向かって送風するので、送風によってゴミに付着した粉塵が舞い上がっても、第１のカバー部８で遮蔽されているので、周辺に粉塵が飛散することがない。そして、第１の送風機９によって吹き出された、残留物中のゴミは、第１のカバー部８内に沿って飛ばされ、収集装置５の受入口２４にまで到達する。
【０１１０】
次に、収集装置５において、ゴミ等が選別される流れについて説明する。まず、図１に示すように第２のベルトコンベア４との接続部分から送出されるゴミ等は、受入口２４から収集装置５内部に吹き込まれる。図１１に示すように、受入口２４に吹き込まれたゴミ等は、受入口２４の下部に設けられた平板７８の平面方向に沿って飛ばされる。この時に、重いゴミは、平板７８の直下に落下し、比較的軽いゴミ（例えばビニール、紙くず、廃プラ等）は受入口２４より遠くへ飛ばされる。よって重くてサイズの大きいゴミは（例えば木片等）は第１の部屋７６に、軽くて、サイズの小さいゴミは、第２の部屋７７に蓄積する。また、それぞれのゴミに付着した砂は、敷き板８４を通過して、第３の部屋７５に蓄積する。また、平板７８も多数の開口を有する網状になっているので、平板７８の網目からも砂が第３の部屋７５に落下するようになっている。
【０１１１】
そして、収集装置５に吹き込まれた空気は第１の排気口９７を通じて外部に排出され、その空気は第１のダクト７を通って、第１の送風機９に返送される。また、第１の排気口９７の第１のフィルタ６３と第２のフィルタ６４により、排出される空気中に混在するゴミはろ過されるようになっている。よって、第１のダクト７内にはゴミ等は排出されないので、第１の送風機９から送風される空気にはゴミ等は混在しない。
【０１１２】
さらに、残土の選別処理が継続されるに従って、収集装置５内にゴミ等が蓄積されていく。すると、収集装置５内部において、蓄積するゴミの占める割合が高くなるので、収集装置５内の空間（隙間）が狭くなる。しかし、収集装置５に送出される空気量（第１の送風機９の送風量）は変化しないため、収集装置５内における狭い空間内において空気の乱流が起こり、各部屋に蓄積したゴミが再度混在してしまう。そこで、収集装置５内にゴミが蓄積し始めたら、収集装置５の略中央部にある仕切板８１，８２，８３を上方向に積み上げる。例えば、図１０に示すように仕切板８１と８２とを積み上げて、収集装置５の第１の部屋７６と第２の部屋７７とを約３分の２の高さまで仕切る。これはおおよそゴミの蓄積する高さまで、積み上げるようにする。そうすると、第１の部屋７６と第２の部屋７７とにそれぞれ蓄積したゴミは、仕切板８１，８２及び８３の網目が仕切りとなり、それぞれのゴミ等が混在しないようにすることができる。
【０１１３】
また、収集装置５内部に送出されるゴミ等が蓄積され始めると、例えば第１の部屋７６にゴミ等の山が形成される。このゴミ等でできた山が大きな壁となってしまい、受入口２４から吹き込まれるゴミ等が、山に衝突してそこに蓄積してしまう。そこで、ゴミ等が蓄積されるに従って、平板７８の面を上方向に調節し、一カ所にゴミの山ができないようにする。よって、第１の部屋７６、第２の部屋７７において、均等にゴミが蓄積されるので、収集装置５の選別処理能力が落ちることなく残土の選別処理が継続できる。
【０１１４】
また、収集装置５にゴミ等が蓄積されていくと、ゴミ等が敷き板８４の網目を塞いでしまい、収集装置５の通気が悪くなるが、背面板８７が多数の開口を有する網状となっているので、背面板８７からも空気が抜け、収集装置５内部の通気は維持される。よって、選別処理を連続して行っても、処理能力が落ちることがない。
【０１１５】
次に、選別装置１における収集装置５の変形例である収集装置５００について、図１３を参照して説明する。図１３は収集装置５００の左右扉部６１０，６００をそれぞれ開いた時の正面図である。まず、収集装置５００の基本構造について説明する。収集装置５００の構造は、収集装置５の構造と基本的に同じである。収集装置５００は、図１３に示すように、略直方体状の箱であって、側面を形成する第１の壁面９１０、上面部を形成する第２の壁面９２０、第１の壁面９１０とは反対側に位置する第３の壁面９３０、前面部を形成する第４の壁面（図示外）及び背面部を形成する第５の壁面（図示外）にて構成されている。
【０１１６】
そして、収集装置５００の第１の壁面９１０には受入口２４０が設けられ、前面部の第４の壁面には、左扉部６１０、右扉部６００が設けられており、それぞれが開閉可能となっている。また、左右扉部６１０，６００の下部には、蓋部６５０が設けられ、収集装置５００から着脱可能となっている。収集装置５００の内部には、受入口２４０の下辺近傍に設けられ、回転軸部７９０に軸支される平板７８０と、地面と平行であって、多数の開口を有する網状の敷き板８４０が設けられている。また、敷き板８４０から上方に積み上げ可能な多数の開口を有する網状の仕切板８１０，８２０，８３０が、４本のガイド梁８００ａ，８００ｃ（他の２本は図示外）によって挟まれている。また、背面部の第５の壁面側には、第５の壁面とは所定距離（本実施例では５０ｍｍ）離間して、多数の開口を有する網状の背面板８７０が設けられている。よって、収集装置５００もまた、第１の壁面９１０側の第１の部屋７６０と、第３の壁面９３０側の第２の部屋７７０と、敷き板８４０より下部側の第３の部屋（図示外）とに３つに分割される。
【０１１７】
そして、収集装置５００の上面部である第２の壁面９２０には、略矩形上の第１の排気口（図示外）が設けられ、その上部には、略直方体状の箱である排気ボックス６２０が、第１のフィルタ６３０を挟んで固定されている。さらに、排気ボックス６２０には円筒部材（図示外）が、排気ボックス６２０の第５の壁面側の側面に接続されており、円筒に囲まれる排気ボックス６２０の側面は切り抜かれている。また、円筒部材には、ホース状の第１のダクト（図示外）が接続され、第１のダクトの円筒部材と接続する一端部と反対側の他端部は、第１の送風機（図示外）に接続されている。尚、排気ボックス６２０と円筒部材との接続部分には、３枚のフィルタからなる第２のフィルタ６４０が設置されている。
【０１１８】
以上のような、収集装置５の構造を基本構造に備えた収集装置５００において、次に、収集装置５に付加された収集装置５００の構成部材について説明する。まず、第１の壁面９１０と対向する第３の壁面９３０には、略矩形状の廃棄口６２３が設けられている。廃棄口６２３の幅は、後述する第３のベルトコンベア２００の幅とほぼ同じになっている。また、廃棄口６２３の下辺は、第３の壁面９３０の敷き板８４０と接続する部分から１５ｃｍ上方に位置している。そして、廃棄口６２３から収集装置５００の内側の略中央部（仕切板８１０，８２０，８３０の近傍）に向かって、第３のベルトコンベア２００が渡設されている。この第３のベルトコンベア２００の略中央部底面は、廃棄口６２３の下辺上に載置され、Ｕ字形固定具２０１で第３のベルトコンベア２００の底面を廃棄口６２３の下辺上に固定している。よって、第３のベルトコンベア２００は図中右上がりに傾斜し、かつ廃棄口６２３から突出して設置されている。
【０１１９】
また、第３のベルトコンベア２００の収集装置５００内に挿入されている部分には、ホッパー部２０２が設けられている。ホッパー部２０２は、３枚のホッパー片から構成され、第３のベルトコンベア２００の長さ方向の両端側にはそれぞれ略矩形状のホッパー片２０２ａが接続されている。また、第３のベルトコンベア２００の長さ方向に垂直であって、収集装置５００内部に位置する一端側にも、１枚のホッパー片２０２ｂが接続されている。第３のベルトコンベア２００に接続される３枚のホッパー片は略長方形状のゴム板からなる部材である。それぞれのホッパー片の第３のベルトコンベア２００に接続される一端側とは反対側の他端側は、上方向に向かって第３のベルトコンベア２００のベルト面に対して反対側に傾斜しており、収集装置５００の前面部である第４の壁面と、背面部である第５の壁面とにそれぞれ接している。また、ホッパー片２０２ｂの第３のベルトコンベア２００と接続する一端側と反対側の他端側は、仕切板８３０上部の近傍に位置するようになっている。こうして、第２の部屋７７０に飛散するゴミは、ホッパー部２０２により、すべて第３のベルトコンベア２００上に落下するようになっている。
【０１２０】
また、廃棄口６２３から突出する第３のベルトコンベア２００の長さの略半分までを覆う第２のカバー部６２２が設けられている。第２のカバー部６２２のカバー固定部６２２ａは、縦に連接する略矩形状の３枚のカバー固定片が、それぞれの連接する辺において、内側に略直角方向に折り曲げられて構成される略コの字形形状の部材となっている。カバー固定部６２２ａは連接する辺に囲まれる内側を地面に向けて、収集装置５００の第３の壁面９３０に垂直に接続されている。さらに、カバー固定部６２２ａの地面方向に向かう両端側からは、２枚のゴム片６２２ｂ（１枚は図示外）が、第３のベルトコンベア２００上の長さ方向両端側に向かって、垂れ下がっている。また、カバー固定部６２２ａの図中右側に開く開口部は略矩形状の平面板６２２ｃによって塞がれている。さらに、カバー固定部６２２ａの上面部には略矩形状の第２の排気口（図示外）が設けられており、排気口の上部には排気ボックス６２１が第１のフィルタ６３１を挟んで固定されている。さらに、排気ボックス６２１には、後述する第２のダクト７００が接続するための円筒部材（図示外）が、排気ボックス６２１の側面に接続されている。
【０１２１】
さらに、収集装置５００の第１の壁面９１０において、受入口２４０の下部には、略矩形状の送風口２４２が設けられている。また、送風口２４２を通じて、収集装置５００の外側から内側にゴミや異物等が流入しないように、送風口２４２には、第３のフィルタ２４３が固定されている。第３のフィルタ２４３は、送風口２４２の面積よりもやや大きくなっており、送風口２４２はすべて第３のフィルタ２４３で覆われている。さらに、収集装置５００の外側であって、送風口２４２の下辺近傍には、送風機架台６０８ａが接続されており、送風機架台６０８ａには、第２の送風機６０８が、所定角度をもって固定されている。具体的には、第２の送風機６０８が、送風口２４２から収集装置５００内部に向かって送風する際に、平板７８０の裏面側に向かって送風するように第２の送風機６０８が斜め上方に向かって固定されている。
【０１２２】
また、収集装置５００の第２の壁面９２０の略中央付近には、収集装置５００内に霧状の水を散布する散水装置６５１が設置されており、散水装置６５１は、２つの噴霧ノズル６５１ａ，６５１ｂを保持している。噴霧ノズル６５１ａは収集装置５００の第１の部屋７６０に、噴霧ノズル６５１ｂは収集装置５００の第２の部屋７７０にそれぞれ向けられている。尚、散水装置６５１は、収集装置５００内全体に噴霧できるものとする。
【０１２３】
尚、収集装置５００で選別処理を行う際に、収集装置５００内の平板７８０の角度は、水平面よりもやや上方に固定する。これは、受入口２４０から吹き込まれるゴミを、なるべく第２の部屋７７０まで到達させて、第３のベルトコンベア２００によって外部に搬送するためである。また、大きくて重いゴミ（例えば、木片等）は、平板７８０より落下して、収集装置５００内に蓄積する。尚、第１の部屋７６０に大きなゴミが大量に蓄積した場合は、３枚の仕切板の内２枚を積み上げて、第１の部屋７６０と第２の部屋７７０とを仕切り、第１の部屋７６０に蓄積するゴミと、第３のベルトコンベア２００に搬送されるゴミとが混在しないようにする。
【０１２４】
次に、収集装置５００のゴミを選別処理する流れについて、図１３を参照して説明する。尚、収集装置５００は、収集装置５が有する構造、機能はすべて備えているものとする。まず、収集装置５００の受入口２４０から、ゴミが吹き込まれる。さらに、吹き込まれたゴミは多数の開口を有する網状の平板７８０上を通過する。ここで、第２の送風機６０８が送風口２４２を通じて、平板７８０の裏面側に向かって送風するので、軽いゴミは平板７８０の面の略延長線上に沿って、第３のベルトコンベア２００に向かって飛ばされる。一方、大きくて重いゴミは、平板７８０の下方付近にすぐに落下して蓄積する。また、ゴミに付着した砂等は、多数の開口を有する網状の敷き板８４０の下方に落下して、蓄積するようになっている。
【０１２５】
そして、第３のベルトコンベア２００に向かって飛んだゴミは、ホッパー部２０２により第３のベルトコンベア２００に誘導され、落下する。さらに、第３のベルトコンベア２００に落下したゴミは、第３の壁面９３０に向かって搬送され、廃棄口６２３を通過して、収集装置５００の外側に搬送される。この時、廃棄口６２３から外側に向かって、内部空気が勢いよく排出されるので、ゴミに付着する粉塵が舞い上がる。しかし、第３のベルトコンベア２００の外側は、第２のカバー部６２２によって覆われているので、周囲に粉塵が飛散しない。さらに、第２のカバー部６２２内の空気は、第２の排気口（図示外）から、排気ボックス６２１及び第２のダクト７００を通過して、第２の送風機６０８に返送されるので、第２のカバー部６２２内の空気は吸引されるようになっている。よって、第２のカバー部６２２の排気口から、第２のカバー部６２２内の空気や粉塵が吸引されることになる。吸引された粉塵は、第２のダクト７００を通じて、第２の送風機６０８により再度第２の収集装置５００に返送されるようになっている。
【０１２６】
そして、第２のカバー部６２２の内部を通過して、搬送される第３のベルトコンベア２００上のゴミからは、粉塵が飛散することがなく、搬送されたゴミは、第３のベルトコンベア２００の搬送方向の先端側から直下方向に落下し、堆積するようになっている。ここに堆積するゴミは、主にビニール、紙くず、廃プラ類等である。
【０１２７】
また、選別処理が長時間継続すると、収集装置５００内に粉塵が舞い上がり、多数の開口を有する網状の敷き板８４０及び多数の開口を有する網状の背面板の網目に砂やゴミの目詰まりが起きる。すると、収集装置５００内の空気の流れが悪くなり、選別処理がうまく行われなくなる。そこで、収集装置５００の上面部を構成する第２の壁面９２０の略中央部には、散水装置６５１が設けられており、噴霧ノズル６５１ａは、第１の部屋７６０全体、噴霧ノズル６５１ｂは第２の部屋７７０全体に向かって霧状の水を散布するようになっている。この散水装置６５１を運転させると、収集装置５００内部全体に霧状の水が散布される。すると、収集装置５００内部の粉塵が水分を吸収し、粉塵の重量が重くなり、下方向へ落下して粉塵を抑えることができる。また、敷き板８４０、背面板８７０等にできる目詰まりも解消することができる。
【０１２８】
尚、本発明は上記の実施の形態に限定されるものではなく、各種の変形が可能である。例えば、収集装置５の仕切板８１〜８３は３枚だったが、何枚でもよく、紐等で各々固定し、収集装置５の外部より各固定部を引き上げることにより、それぞれが垂直に連接されるようにして、仕切板の高さを調節できるようにしてもよい。また、ベルトコンベアの大きさは残土の処理量などに応じて、大型のベルトコンベアを用いてもよい。その際には、送風機をベルトコンベア上に数台取付け、処理能力を向上させるとよい。また、本実施例で説明した、平板、敷き板、仕切板、背面板は１０ｍｍの網径を有した金網となっているが、網径は選別する対象物のサイズに応じて変更してもよく、それぞれの網径は互いに違ってもよい。また、収集装置５は底面を有しない略直方体状の箱であるが、底面を設けてもよく、底面に蓄積する砂を自由に取り出せるようにしてもよい。
【０１２９】
また、分離金網１２は、傾斜調節フレーム１４の伸長梁３４ａ，３４ｂを上方に伸長させ、長辺梁３１ａ，長辺梁３１ｂにそれぞれ設けられた嵌合穴４１ａ，４１ｂ及び４１ｃの何れかを調節ピン４１で固定することにより、３段階に分離金網１２を傾斜させていたが、例えば、傾斜調節フレーム１４の長辺梁３１ａ，長辺梁３１ｂの内部にシリンダを各々設け、コンプレッサ等による空気圧で伸長梁３４ａ，３４ｂを上方に押し上げて、分離金網１２の傾斜角度を自由に調節するようにしてもよい。
【０１３０】
また、上述の実施例では、収集装置５の受入口２４は、第２のベルトコンベア４の端部の側面に接続されており、第１の送風機９から流れる空気は、第１のカバー部８により直角に曲げられ、収集装置５の受入口２４に吹き込まれるようになっているが、第２のベルトコンベア４の長さ方向の延長上に収集装置５の受入口２４が配置されるように、収集装置５を配置してもよい。この時、第２のベルトコンベア４と収集装置５とは、互いに略直線上に配置する。収集装置５の設置場所は選別装置１の設置する周辺環境に応じて、自由に変更してよい。
【０１３１】
【発明の効果】
以上、詳述したとおり、請求項１に記載の選別装置では、分離金網の開口から落下せずに分離金網上を流れた残留物の搬送方向の一方向とは反対側に送風する第１の送風手段を備えているので、残留物中のゴミを分離選別することができる。また、第１のカバーが設けられているので、第１の送風手段の送風により粉塵が周囲に飛散することがないので、周囲の環境を汚染することなく、残土の分離選別処理をすることができる。
【０１３２】
また、請求項２に記載の選別装置では、請求項１に記載の発明の効果に加え、収集手段の受入口近傍に設けられた平板は、収集手段内に溜まるゴミの蓄積度合いに従って、ゴミが吹き込まれる方向を調節することができるので、収集手段内に均一に、ゴミを蓄積することができる。
【０１３３】
また、請求項３に記載の選別装置では、請求項１又は２に記載の発明の効果に加え、収集手段内にゴミが吹き込まれると同時に、ゴミを収集手段の外部へ搬送することができるので、収集手段内に蓄積したゴミを手作業で収集手段内から取り出す手間を省くことができ、また連続的に作業を行うことができるので、残土の選別処理時間を大幅に削減することができる。
【０１３４】
また、請求項４に記載の選別装置では、請求項３に記載の発明の効果に加え、収集手段内に設けられた第２の搬送手段は廃棄口から収集手段の外部に向かって突出し、収集手段より離れた位置にゴミを堆積することができるので、収集手段を傷つけることなく選別処理を行うことができる。
【０１３５】
また、請求項５に記載の選別装置では、請求項１乃至４の何れかに記載の発明の効果に加え、収集手段内への送風量を増やすことにより、収集手段内のゴミの飛散速度が速くなり、処理時間を短縮することができる。
【０１３６】
また、請求項６に記載の選別装置では、振動モータの振動は、振動板を通じて、分離金網に伝わり、分離金網上の残土を振動させるので、ブロック状に固まった土等はほぐされて、分離金網の目を落下させることができる。また、分離金網の網目は振動しているので、網目に土等による目詰まりが起きにくく、分離金網の選別処理能力が落ちることがない。
【０１３７】
また、請求項７に記載の選別装置では、請求項６に記載の発明の効果に加え、分離金網に設けられた遮蔽板は、分離金網上の大きな残留物が第１のカバー又は第１の搬送手段に落下するのを防止できるので、第１のカバー又は第１の搬送手段が故障や損傷するのを最小限に抑えることができる。
【０１３８】
また、請求項８に記載の選別装置では、請求項７に記載の発明の効果に加え、遮蔽板の分離金網の残土が流れる方向に向かって傾斜する方向の下流側に、排出口が設けられているので、分離金網上の大きな残留物を、排出口から分離金網の外部に排出することができる。
【０１３９】
また、請求項９に記載の選別装置では、請求項８に記載の発明の効果に加え、排出口には案内板が設けられているので、遮蔽板によって取り除かれた大きな残留物は、排出口を通り、案内板により分離金網よりやや離れた場所に排出されることができる。
【０１４０】
また、請求項１０に記載の選別装置では、請求項６乃至９の何れかに記載の発明の効果に加え、振動板は分離金網上において、振動板と桟との間隔より、振動板と分離金網の振動板に近い一端側との間隔の方が広くなるように固定されるので、振動モータから伝わる振動により、分離金網の桟、分離金網等にかかる負荷を最小限にすることができるので、分離金網等の各部品を長持ちさせることができる。
【図面の簡単な説明】
【図１】図１は選別装置１の斜視図である。
【図２】図２は選別装置１の正面図である。
【図３】図３は選別装置１の背面図である。
【図４】図４は第１のカバー部８を外した選別装置１の斜視図である。
【図５】図５は傾斜調節フレーム１４の斜視図である。
【図６】図６は分離金網１２と第１のベルトコンベア２を取付けた傾斜調節フレーム１４の斜視図である。
【図７】図７は第１のカバー部８を外した、第２のベルトコンベア４上の構成を示した構成図である。
【図８】図８は第１のカバー部８の斜視図である。
【図９】図９は収集装置５の斜視図である。
【図１０】図１０は収集装置５の正面図である。
【図１１】図１１は左右扉部６０，６１を開いた収集装置５の正面図である。
【図１２】図１２は収集装置５の平面図である。
【図１３】図１３は左右扉部６００，６１０を開いた収集装置５００の正面図である。
【符号の説明】
１      選別装置
２      第１のベルトコンベア
３      磁選機
４      第２のベルトコンベア
５      収集装置
７      第１のダクト
８      第１のカバー部
９      第１の送風機
１０    遮蔽板
１１    振動板
１２    分離金網
１３    振動モータ
１４    傾斜調節フレーム
１５    磁選機架台
５０    落下物シュート
５２    防振ゴム
７８    平板
８１，８２，８３    仕切板
８４    敷き板
８７    背面板